(57)【要約】      （修正有）【課題】少ない部品で簡便にかつ再現性を高くして組み立てることができる陳列棚を提供する。【解決手段】展開状態で背面となる背面部１１０と、展開状態で底面となる底面部１３０であって、背面部１１０と第１の折り目１８０で折り曲げ可能に連結された底面部１３０と、展開状態で側面となる側面部１５０であって、背面部１１０と第２の折り目１８２Ｒ、１８２Ｌで折り曲げ可能に連結された側面部１５０と、側面部１５０に連結された補助部であって、第３の折り目を有し、かつ、展開状態で背面部１１０と側面部１５０との間に延在し少なくとも一部が底面部１３０と重なる補助部と、を備え、折り畳み状態で、第１の折り目１８０及び第２の折り目１８２Ｒ、１８２Ｌで折り曲げ、背面部１１０と底面部１３０と側面部１５０と補助部との少なくとも一部を重ねる。【選択図】図９
0003202030.tif 000002
【実用新案登録請求の範囲】
【請求項１】
折り畳み状態と展開状態とに遷移な陳列棚であって、
展開状態で背面となる背面部と、
展開状態で底面となる底面部であって、前記背面部と第１の折り目で折り曲げ可能に連結された底面部と、
展開状態で側面となる側面部であって、前記背面部と第２の折り目で折り曲げ可能に連結された側面部と、
前記側面部に連結された補助部であって、第３の折り目を有し、かつ、展開状態で前記背面部と前記側面部との間に延在し少なくとも一部が前記底面部と重なる補助部と、を備え、
折り畳み状態で、前記第１の折り目及び前記第２の折り目で折り曲げられて、前記背面部と前記底面部と前記側面部と前記補助部との少なくとも一部が重なり合う陳列棚。
【請求項２】
前記補助部は、前記第３の折り目を境にして画定される第１の補助体と第２の補助体とを有し、
前記第１の補助体は、前記側面部と第４の折り目で折り曲げ可能に連結され、
前記第２の補助体は、少なくとも一部が前記底面部に接合された請求項１に記載の陳列棚。
【請求項３】
前記補助部は、
前記第３の折り目を境にして画定される第１の補助体及び第２の補助体と、
前記第２の補助体から延出する延出部と、を有し、
前記第１の補助体は、前記側面部と第４の折り目で折り曲げ可能に連結され、
前記第２の補助体は、前記延出部が前記背面部に接合され前記底面部と折り曲げ可能に連結された請求項１に記載の陳列棚。
【請求項４】
前記背面部は、第１の背面体と前記第１の背面体に収納可能な第２の背面体とを有し、
前記底面部は、第１の底面体と前記第１の底面体に収納可能な第２の底面体とを有し、
前記第１の背面体に前記第２の背面体が収納され、かつ、前記第１の底面体に前記第２の底面体が収納されたときに、収縮状態となり、
前記第１の背面体から前記第２の背面体が引き出され、かつ、前記第１の底面体から前記第２の底面体が引き出されたときに、伸長状態となる請求項１〜３のいずれか一項に記載の陳列棚。
【考案の詳細な説明】
【技術分野】
【０００１】
折り畳み状態と展開状態との双方の状態に遷移できる陳列棚に関する。
【背景技術】
【０００２】
従来、店舗などで各種の商品を載置するための陳列台や陳列棚が考案されてきた。これらの陳列棚は、様々な形状を有する複数枚の平坦なブランクからなり、ブランクの各々には、複数の差込辺や、差込辺に対応する複数の差込孔が形成されている。このようなブランクを折り曲げつつ、差込孔に差込辺を挿入させることで陳列台や陳列棚を組み立てていた（例えば、特許文献１参照）。
【先行技術文献】
【特許文献】
【０００３】
【特許文献１】特開２００４−０１６５４０号公報
【考案の概要】
【考案が解決しようとする課題】
【０００４】
上述したように、従来の陳列台や陳列棚は、複数枚のブランクを用いて組み立てるものであった。複数枚のブランクの各々には、差込孔及び差込辺が形成されており、組み立て手順に従って、差込辺を対応する差込孔に挿入して複数枚のブランクを組み合わせる必要があった。このため、複数枚のブランクを過不足なく準備する必要があるとともに、組み立て手順書などに示す順序で組み立てる必要があった。
【０００５】
本考案は、上述の点に鑑みてなされたものであり、その目的とするところは、少ない部品で簡便にかつ再現性を高くして組み立てることができる陳列棚を提供することにある。
【課題を解決するための手段】
【０００６】
本考案による陳列棚の実施態様は、
折り畳み状態と展開状態とに遷移な陳列棚であって、
展開状態で背面となる背面部と、
展開状態で底面となる底面部であって、前記背面部と第１の折り目で折り曲げ可能に連結された底面部と、
展開状態で側面となる側面部であって、前記背面部と第２の折り目で折り曲げ可能に連結された側面部と、
前記側面部に連結された補助部であって、第３の折り目を有し、かつ、展開状態で前記背面部と前記側面部との間に延在し少なくとも一部が前記底面部と重なる補助部と、を備え、
折り畳み状態で、前記第１の折り目及び前記第２の折り目で折り曲げられて、前記背面部と前記底面部と前記側面部と前記補助部との少なくとも一部が重なり合う陳列棚。を備えることである。
【０００７】
背面部と底面部と側面部と補助部とが折り曲げ可能に連結されているので、一体で取り扱うことができ、組み立てを簡便かつ容易にでき、折り畳み状態と展開状態との間を再現性を高くして遷移させることができる。
【考案の効果】
【０００８】
少ない部品で簡便にかつ再現性を高くして組み立てることができる。
【図面の簡単な説明】
【０００９】
【図１】折り畳み状態における陳列棚１００の概観を、背面用シート部１１０を下に向けて示す斜視図である。
【図２】折り畳み状態における背面用シート部１１０と底面用シート部１３０と左側側面用シート部１５０Ｌと右側側面用シート部１５０Ｒとの重なりの状態を示す正面図である。
【図３】左側側面用シート部１５０Ｌを少し持ち上げた状態を示す斜視図である。
【図４】右側側面用シート部１５０Ｒを少し持ち上げた状態を示す斜視図である。
【図５】左側側面用シート部１５０Ｌ及び右側側面用シート部１５０Ｒの双方を持ち上げた状態を示す斜視図である。
【図６】展開状態における左側補助用シート部１６０Ｌ及び右側補助用シート部１６０Ｒを示す平面図である。
【図７】展開過程における陳列棚１００を正面右上から見た斜視図である。
【図８】展開過程における陳列棚１００を背面左上から見た斜視図である。
【図９】展開状態における陳列棚１００を正面右上から見た斜視図である。
【図１０】伸長過程における陳列棚１００を正面右上から見た斜視図である。
【図１１】伸長過程における陳列棚１００を背面左上から見た斜視図である。
【図１２】背面用シート部１１０の係止の機構及び底面用シート部１３０の係止の機構を示す断面図である。
【図１３】伸長状態における陳列棚１００を正面右上から見た斜視図である。
【図１４】伸長状態における陳列棚１００を背面左上から見た斜視図である。
【図１５】折り畳み状態における陳列棚２００の概観を、背面用シート部２１０を下に向けて示す斜視図である。
【図１６】折り畳み状態における背面用シート部２１０と底面用シート部２３０と左側側面用シート部２５０Ｌと右側側面用シート部２５０Ｒとの重なりの状態を示す正面図である。
【図１７】左側側面用シート部２５０Ｌを少し持ち上げた状態を示す斜視図である。
【図１８】右側側面用シート部２５０Ｒを少し持ち上げた状態を示す斜視図である。
【図１９】左側側面用シート部２５０Ｌ及び右側側面用シート部２５０Ｒの双方を持ち上げた状態を示す斜視図である。
【図２０】展開状態における左側補助用シート部２６０Ｌ及び右側補助用シート部２６０Ｒを示す平面図である。
【図２１】左側側面用シート部２５０Ｌ及び右側側面用シート部２５０Ｒの双方を持ち上げた状態を示す斜視図である。
【図２２】左側側面用シート部２５０Ｌ及び右側側面用シート部２５０Ｒの双方を持ち上げた展開過程を示す斜視図である。
【図２３】左側側面用シート部２５０Ｌ及び右側側面用シート部２５０Ｒの双方を持ち上げた展開過程を示す斜視図である。
【図２４】展開状態における陳列棚２００を正面右上から見た斜視図である。
【図２５】展開状態における陳列棚２００を背面左上から見た斜視図である。
【図２６】背面用シート部２１０の係止の機構及び底面用シート部２３０の係止の機構を示す断面図である。
【図２７】伸長状態における陳列棚２００を正面右上から見た斜視図である。
【図２８】伸長状態における陳列棚２００を背面左上から見た斜視図である。
【図２９】折り畳み状態における陳列棚３００の概観を、背面用シート部３１０を下に向けて示す斜視図である。
【図３０】折り畳み状態における背面用シート部３１０と底面用シート部３３０と左側側面用シート部３５０Ｌと右側側面用シート部３５０Ｒとの重なりの状態を示す正面図である。
【図３１】左側側面用シート部３５０Ｌを少し持ち上げた状態を示す斜視図である。
【図３２】右側側面用シート部３５０Ｒを少し持ち上げた状態を示す斜視図である。
【図３３】左側側面用シート部３５０Ｌ及び右側側面用シート部３５０Ｒの双方を持ち上げた状態を示す斜視図である。
【図３４】展開状態における左側補助用シート部３６０Ｌ及び右側補助用シート部３６０Ｒを示す平面図である。
【図３５】展開過程における陳列棚３００を正面右上から見た斜視図である。
【図３６】展開過程における陳列棚３００を背面左上から見た斜視図である。
【図３７】展開過程における陳列棚３００を正面右上から見た斜視図である。
【図３８】展開過程における陳列棚３００を正面右上から見た斜視図である。
【図３９】伸長状態における陳列棚３００を正面右上から見た斜視図である。
【図４０】伸長過程における陳列棚３００を背面左上から見た斜視図である。
【図４１】背面用シート部３１０の係止の機構及び底面用シート部３３０の係止の機構を示す断面図である。
【図４２】伸長状態における陳列棚３００を正面右上から見た斜視図である。
【考案を実施するための形態】
【００１０】
本考案の第１の実施態様によれば、
折り畳み状態と展開状態とに遷移な陳列棚（例えば、後述する陳列棚１００、２００、３００など）であって、
展開状態で背面となる背面部（例えば、後述する背面用シート部１１０、２１０、３１０など）と、
展開状態で底面となる底面部であって、前記背面部と第１の折り目（例えば、後述する第１の折り目１８０、２８０、３８０など）で折り曲げ可能に連結された底面部（例えば、後述する底面用シート部１３０、２３０、３３０など）と、
展開状態で側面となる側面部であって、前記背面部と第２の折り目（例えば、後述する第２の折り目１８２、２８２、３８２など）で折り曲げ可能に連結された側面部（例えば、後述する側面用シート部１５０、２５０、３５０など）と、
前記側面部に連結された補助部であって、第３の折り目（例えば、後述する第３の折り目１８４、２８４、３８４など）を有し、かつ、展開状態で前記背面部と前記側面部との間に延在し少なくとも一部が前記底面部と重なる補助部（例えば、後述する補助用シート部１６０、２６０、３６０など）と、を備え、
折り畳み状態で、前記第１の折り目及び前記第２の折り目で折り曲げられて、前記背面部と前記底面部と前記側面部と前記補助部との少なくとも一部が重なり合う陳列棚が提供される。
【００１１】
陳列棚は、折り畳み状態と展開状態との双方の状態に遷移可能であり、背面部と底面部と側面部と補助部とを有する。背面部と底面部とは、第１の折り目で折り曲げ可能に連結されている。背面部と側面部とは、第２の折り目で折り曲げ可能に連結されている。補助部は、第３の折り目を有し、展開状態で背面部と前記側面部との間に延在し少なくとも一部が底面部と重なる。
【００１２】
折り畳み状態では、第１の折り目及び第２の折り目で折り曲げられ、背面部と底面部と側面部と補助部との少なくとも一部が重なり合う。なお、折り畳み状態では、さらに、補助部は、第３の折り目で折り曲げられて少なくとも一部が互いに重なり合うようにしてもよい。
【００１３】
背面部と底面部と側面部と補助部とが折り曲げ可能に連結されているので、陳列棚を一体で取り扱うことができる。第１の折り目、第２の折り目及び第３の折り目に従って背面部と底面部と側面部と補助部とを折り曲げれば折り畳み状態にでき、反対に広げれば展開状態にできるので、組み立てや折り畳みを簡便かつ容易にできる。第１の折り目、第２の折り目及び第３の折り目のみで制御できるので、折り畳み状態と展開状態との間の再現性を高くして遷移させることができる。
【００１４】
本考案の第２の実施態様は、本考案の第１の実施態様において、
前記補助部が、前記第３の折り目を境にして画定される第１の補助体（例えば、後述する第１の左側補助用シート体１６０ＬＢ及び３６０ＬＢ並びに第１の右側補助用シート体１６０ＲＢ及び３６０ＲＢなど）と第２の補助体（例えば、後述する第２の左側補助用シート体１６０ＬＡ及び３６０ＬＡ並びに第２の右側補助用シート体１６０ＲＡ及び３６０ＲＡなど）とを有し、
前記第１の補助体は、前記側面部と第４の折り目（例えば、後述する第４の折り目１８６、３８６など）で折り曲げ可能に連結され、
前記第２の補助体は、少なくとも一部が前記底面部に接合されている。
【００１５】
補助部は、第１の補助体と第２の補助体とを有する。第１の補助体及び第２の補助体は、第３の折り目を境にして画定される。第１の補助体と側面部とは、第４の折り目で折り曲げ可能に連結されている。第２の補助体は、少なくとも一部が底面部に接合されている。
【００１６】
補助部自体を折り畳むことができ、全体をより小さく折り畳むことができ、保管に要する空間や搬送に要する容器などを小さくできる。第２の補助体は、少なくとも一部が底面部に接合されているので、第２の補助体を動かすことで底面部も動かすことができ、第２の補助体と底面部とを連動させることで、組み立て作業や折り畳み作業を簡便にすることができる。
【００１７】
本考案の第３の実施態様は、本考案の第１の実施態様において、
前記補助部は、
前記第３の折り目を境にして画定される第１の補助体（例えば、後述する第１の左側補助用シート体２６０ＬＢ及び第１の右側補助用シート体２６０ＲＢ）及び第２の補助体（例えば、後述する第２の左側補助用シート体２６０ＬＡ及び第２の右側補助用シート体２６０ＲＡ）と、
前記第２の補助体から延出する延出部（例えば、後述する延出部２７２Ｌ、２７２Ｒなど）と、を有し、
前記第１の補助体は、前記側面部と第４の折り目で折り曲げ可能に連結され、
前記第２の補助体は、前記延出部が前記背面部に接合され前記底面部と折り曲げ可能（例えば、後述する第５の折り目２８８Ｌ及び２８８Ｒなど）に連結された請求項１に記載の陳列棚。
【００１８】
補助部は、第１の補助体と第２の補助体と、第２の補助体から延出する延出部とを有する。第１の補助体及び第２の補助体は、第３の折り目を境にして画定される。延出部が背面部に接合されて第２の補助体が背面部と折り曲げ可能に連結されている。
【００１９】
補助部自体を折り畳むことができ、全体をより小さく折り畳むことができ、保管に要する空間や搬送に要する容器などを小さくできる。第２の補助体は、背面部と折り曲げ可能に連結されているので、第２の補助体と底面部とを連動させずに、別個に底面部を動かすことができる。
【００２０】
本考案の第４の実施態様は、本考案の第１の実施態様において、
前記背面部は、第１の背面体（例えば、後述する左側背面シート１１２Ｌ、２１２Ｌ、３１２Ｌ）と前記第１の背面体に収納可能な第２の背面体（例えば、後述する中央背面シート１１２Ｃ、右側背面シート２１２Ｒ、中央背面シート３１２Ｃ）とを有し、
前記底面部は、第１の底面体（例えば、後述する左側底面シート１３２Ｌ、２３２Ｌ、３３２Ｌ）と前記第１の底面体に収納可能な第２の底面体（例えば、後述する中央底面シート１３２Ｃ、右側底面シート２３２Ｒ、中央底面シート３３２Ｃ）とを有し、
前記第１の背面体に前記第２の背面体が収納され、かつ、前記第１の底面体に前記第２の底面体が収納されたときに、収縮状態となり、
前記第１の背面体から前記第２の背面体が引き出され、かつ、前記第１の底面体から前記第２の底面体が収納引き出されたときに、伸長状態となる請求項１に記載の陳列棚。
【００２１】
背面部は、第１の背面体と第１の背面体に収納可能な第２の背面体とを有する。底面部は、第１の底面体と第１の底面体に収納可能な第２の底面体とを有する。第１の背面体に第２の背面体を収納し、かつ、第１の底面体に第２の底面体を収納することで収縮状態にできる。また、第１の背面体から第２の背面体を引き出し、かつ、第１の底面体から第２の底面体を引き出したときに、伸長状態にできる。
【００２２】
伸縮可能にしたことで、陳列棚が設置される環境や、陳列される商品に応じた大きさに適合させることができる。
【００２３】
以下に、実施の形態について図面に基づいて説明する。以下で説明する本実施の形態では、陳列棚が組み立てられて展開された状態を展開状態と称する。また、陳列棚の展開状態が解除されて折り畳まれた状態を折り畳み状態と称する。なお、折り畳み状態は、最も小さく折り畳まれた状態のみならず、展開状態から少なくとも一部が折り畳まれた状態であればよい。同様に、展開状態は、最も大きく展開された状態のみならず、折り畳み状態から少なくとも一部が展開された状態であればよい。
【００２４】
さらに、陳列棚が展開状態になって陳列棚に物品が陳列できる状態を陳列状態と称する。さらにまた、陳列棚の陳列状態における水平な方向を水平方向と称し、垂直な方向を垂直方向と称する。
【００２５】
＜＜＜第１の実施の形態〜第３の実施の形態＞＞＞
以下で説明する第１の実施の形態〜第３の実施の形態は、いずれも折り畳み状態から展開状態に遷移できるとともに、展開状態から折り畳み状態に遷移できる陳列棚である。これらの陳列棚は、一体に形成されており、分離した別体の部材を組み合わせて取り付けることなく、折り畳み状態から展開状態に再現性を高くして遷移させることができる。なお、装飾部材などについては、別体にして付加的に取り付けるようにしてもよい。
【００２６】
＜＜第１の実施の形態、第２の実施の形態及び第３の実施の形態の相違の概要＞＞
第１の実施の形態による陳列棚１００と、第２の実施の形態による陳列棚２００と、第３の実施の形態による陳列棚３００との相違について大まかに説明する。なお、詳細は、後で説明する。
【００２７】
＜第１の実施の形態による陳列棚１００の概要＞
後述する図１０〜図１４に示すように、第１の実施の形態による陳列棚１００の背面用シート部１１０は、左側背面シート１１２Ｌと中央背面シート１１２Ｃと右側背面シート１１２Ｒとの３つの別個のシートから構成される。左側背面シート１１２Ｌは、中央背面シート１１２Ｃを収納する左側収納部１１４Ｌを有する。右側背面シート１１２Ｒは、中央背面シート１１２Ｃを収納する右側収納部１１４Ｒを有する。
【００２８】
また、底面用シート部１３０も、同様に、左側底面シート１３２Ｌと中央底面シート１３２Ｃと右側底面シート１３２Ｒとの３つの別個のシートから構成される。左側底面シート１３２Ｌは、中央底面シート１３２Ｃを収納する左側収納部１３４Ｌを有する。右側底面シート１３２Ｒは、中央底面シート１３２Ｃを収納する右側収納部１３４Ｒを有する。
【００２９】
中央背面シート１１２Ｃが左側背面シート１１２Ｌ及び右側背面シート１１２Ｒに収納され、かつ、中央底面シート１３２Ｃが左側底面シート１３２Ｌ及び右側底面シート１３２Ｒに収納された状態が、陳列棚１００が収縮した状態となる（図９参照）。中央背面シート１１２Ｃが左側背面シート１１２Ｌ及び右側背面シート１１２Ｒから引き出され、かつ、中央底面シート１３２Ｃが左側底面シート１３２Ｌ及び右側底面シート１３２Ｒから引き出された状態が、陳列棚１００が伸長した状態となる（図１３及び図１４参照）。
【００３０】
＜第２の実施の形態による陳列棚２００の概要＞
後述する図１５〜図２８に示すように、第２の実施の形態による陳列棚２００の背面用シート部２１０は、左側背面シート２１２Ｌと右側背面シート２１２Ｒとの２つの別個のシートから構成される。左側背面シート２１２Ｌは、右側背面シート２１２Ｒを収納する左側収納部２１４Ｌを有する。また、底面用シート部２３０も、同様に、左側底面シート２３２Ｌと右側底面シート２３２Ｒとの２つの別個のシートから構成される。左側底面シート２３２Ｌは、右側底面シート２３２Ｒを収納する左側収納部２３４Ｌを有する。
【００３１】
右側背面シート２１２Ｒが左側背面シート２１２Ｌに収納され、かつ、右側底面シート２３２Ｒが左側底面シート２３２Ｌに収納された状態が、陳列棚２００が収縮した状態となる（図２４及び図２５参照）。右側背面シート２１２Ｒが左側背面シート２１２Ｌから引き出され、かつ、右側底面シート２３２Ｒが左側底面シート２３２Ｌから引き出された状態が、陳列棚２００が伸長した状態となる（図２７及び図２８参照）。
【００３２】
第２の実施の形態による陳列棚２００は、第１の実施の形態による陳列棚１００及び第３の実施の形態による３００とは異なり、背面用シート部２１０は、左側背面シート２１２Ｌと右側背面シート２１２Ｒとの２つのみから構成され、底面用シート部２３０は、左側底面シート２３２Ｌと右側底面シート２３２Ｒとの２つのみから構成される。
【００３３】
＜第３の実施の形態による陳列棚３００の概要＞
後述する図２９〜図４２に示すように、第３の実施の形態による陳列棚３００の背面用シート部３１０は、左側背面シート３１２Ｌと中央背面シート３１２Ｃと右側背面シート３１２Ｒとの３つの別個のシートから構成される。左側背面シート３１２Ｌは、中央背面シート３１２Ｃを収納する左側収納部３１４Ｌを有する。右側背面シート３１２Ｒは、中央背面シート３１２Ｃを収納する右側収納部３１４Ｒを有する。
【００３４】
また、底面用シート部３３０も、同様に、左側底面シート３３２Ｌと中央底面シート３３２Ｃと右側底面シート３３２Ｒとの３つの別個のシートから構成される。左側底面シート３３２Ｌは、中央底面シート３３２Ｃを収納する左側収納部３３４Ｌを有する。右側底面シート３３２Ｒは、中央底面シート３３２Ｃを収納する右側収納部３３４Ｒを有する。
【００３５】
中央背面シート３１２Ｃが左側背面シート３１２Ｌ及び右側背面シート３１２Ｒに収納され、かつ、中央底面シート３３２Ｃが左側底面シート３３２Ｌ及び右側底面シート３３２Ｒに収納された状態が、陳列棚３００が収縮した状態となる（図３８参照）。中央背面シート３１２Ｃが左側背面シート３１２Ｌ及び右側背面シート３１２Ｒから引き出され、かつ、中央底面シート３３２Ｃが左側底面シート３３２Ｌ及び右側底面シート３３２Ｒから引き出された状態が、陳列棚３００が伸長した状態となる（図３９及び図４０参照）。
【００３６】
第３の実施の形態による陳列棚３００は、第１の実施の形態による陳列棚１００と同様に、背面用シート部３１０は、左側背面シート３１２Ｌと中央背面シート３１２Ｃと右側背面シート３１２Ｒとの３つから構成され、底面用シート部３３０も、左側底面シート３３２Ｌと中央底面シート３３２Ｃと右側底面シート３３２Ｒとの３つから構成される。
【００３７】
また、第１の実施の形態による陳列棚１００の側面用シート部１５０は、略直角三角形状の形状を有する。第２の実施の形態による陳列棚２００の側面用シート部２５０も、略直角三角形状の形状を有する。これに対し、第３の実施の形態による３００の側面用シート部３５０は、四角形状の形状を有する（図３８等参照）。
【００３８】
以下に、第１の実施の形態による陳列棚１００、第２の実施の形態による陳列棚２００及び第３の実施の形態による陳列棚３００の具体的な特徴を詳細に説明する。
【００３９】
＜＜＜第１の実施の形態＞＞＞
図１〜図１４を参照して、第１の実施の形態の陳列棚１００を説明する。
【００４０】
図１に示す状態が陳列棚１００の折り畳み状態であり、図９に示す状態が陳列棚１００の展開状態である。図１から図９の順に広げることで陳列棚１００を展開状態にできる。反対に、図９から図１の順に畳むことで陳列棚１００を折り畳み状態にできる。
【００４１】
また、図９に示す状態が陳列棚１００の展開状態であるとともに収縮状態であり、図１４に示す状態が陳列棚１００の伸長状態である。図９から図１４の順に伸ばすことで陳列棚１００を伸長状態にできる。逆に、図１４から図９の順に縮めることで陳列棚１００を収縮状態にできる。
【００４２】
＜陳列棚１００の構成＞
図５及び図９に示すように、陳列棚１００は、背面用シート部１１０と底面用シート部１３０と２枚の側面用シート部１５０と２枚の補助用シート部１６０とを備える。２枚の側面用シート部１５０は、左側側面用シート部１５０Ｌと右側側面用シート部１５０Ｒとからなる（図９参照）。２枚の補助用シート部１６０は、左側補助用シート部１６０Ｌと右側補助用シート部１６０Ｒとからなる（図５及び図６参照）。
【００４３】
図９に示すように、背面用シート部１１０は、展開状態や陳列状態で背面を構成する部材である。底面用シート部１３０は、展開状態や陳列状態で底面を構成する部材である。側面用シート部１５０は、展開状態や陳列状態で左側の側面と右側の側面とを構成する部材である。補助用シート部１６０は、展開状態や陳列状態で左側の補助面と右側の補助面とを構成する部材である（図６等参照）。補助用シート部１６０は、展開状態や陳列状態のときに、背面用シート部１１０と側面用シート部１５０とのなす角が略９０度になるように導きかつ維持するための部材である。
【００４４】
＜背面用シート部１１０＞
図７及び図８に示すように、背面用シート部１１０は、平坦で略四角形の形状を有する。背面用シート部１１０は、背面用シート部上辺１１６Ｔと背面用シート部下辺１１６Ｂと背面用シート部左辺１１６Ｌと背面用シート部右辺１１６Ｒとを有する。背面用シート部上辺１１６Ｔ及び背面用シート部下辺１１６Ｂは同じ長さを有し平行である。背面用シート部左辺１１６Ｌ及び背面用シート部右辺１１６Ｒは同じ長さを有し平行である。背面用シート部左辺１１６Ｌ及び背面用シート部右辺１１６Ｒは、背面用シート部上辺１１６Ｔ及び背面用シート部下辺１１６Ｂに対して垂直である。
【００４５】
＜底面用シート部１３０＞
図４、図５、図７及び図８等に示すように、底面用シート部１３０は、平坦で略四角形の形状を有する。底面用シート部１３０は、底面用シート部上辺１３６Ｔと底面用シート部下辺１３６Ｂと底面用シート部左辺１３６Ｌと底面用シート部右辺１３６Ｒとを有する。底面用シート部上辺１３６Ｔ及び底面用シート部下辺１３６Ｂは同じ長さを有し平行である。底面用シート部左辺１３６Ｌ及び底面用シート部右辺１３６Ｒは同じ長さを有し平行である。底面用シート部左辺１３６Ｌ及び底面用シート部右辺１３６Ｒは、底面用シート部上辺１３６Ｔ及び底面用シート部下辺１３６Ｂに対して垂直である。
【００４６】
＜左側側面用シート部１５０Ｌ及び右側側面用シート部１５０Ｒ＞
図１〜図５及び図８等に示すように、左側側面用シート部１５０Ｌ及び右側側面用シート部１５０Ｒは、平坦で略直角三角形の形状を有する。左側側面用シート部１５０Ｌ及び右側側面用シート部１５０Ｒは、側面用シート部斜辺１５０Ｈと側面用シート部第１辺１５０Ａと側面用シート部第２辺１５０Ｂとからなる。側面用シート部斜辺１５０Ｈは直角三角形の斜辺である。側面用シート部第１辺１５０Ａと側面用シート部第２辺１５０Ｂとのなす角が略９０度である。
【００４７】
＜左側補助用シート部１６０Ｌ及び右側補助用シート部１６０Ｒ＞
図５及び図６に示すように、左側補助用シート部１６０Ｌ及び右側補助用シート部１６０Ｒは、展開されて広がったときに平坦で直角三角形に近い形状を有する。左側補助用シート部１６０Ｌ及び右側補助用シート部１６０Ｒの各々は、補助用シート部斜辺１６０Ｈと、補助用シート部第１辺１６０Ａと、補助用シート部第２辺１６０Ｂとの３辺からなる。補助用シート部第１辺１６０Ａ及び補助用シート部第２辺１６０Ｂは直線である。補助用シート部斜辺１６０Ｈは、直線ではなく、若干凸状に湾曲し膨出した曲線である。後述するように、折り畳み状態では、左側補助用シート部１６０Ｌ及び右側補助用シート部１６０Ｒ自体が、折れ曲がって重なり合うことができる。また、展開状態では、補助用シート部第１辺１６０Ａと補助用シート部第２辺１６０Ｂとのなす角は略９０度になる。
【００４８】
＜第１の折り目１８０＞
図７、図９、図１０及び図１３に示すように、背面用シート部１１０と底面用シート部１３０とは、第１の折り目１８０を介して折り曲げ可能に連結されている。第１の折り目１８０は、背面用シート部１１０の背面用シート部下辺１１６Ｂと、底面用シート部１３０の底面用シート部下辺１３６Ｂと間の折り目を構成する。
【００４９】
＜第２の折り目１８２Ｌ及び第２の折り目１８２Ｒ＞
図７、図９、図１０及び図１３に示すように、背面用シート部１１０と左側側面用シート部１５０Ｌとは、左側の第２の折り目１８２Ｌを介して折り曲げ可能に連結されている。左側の第２の折り目１８２Ｌは、背面用シート部１１０の背面用シート部左辺１１６Ｌと、左側側面用シート部１５０Ｌの側面用シート部第１辺１５０Ａとの間の折り目を構成する。
【００５０】
図７、図９、図１０及び図１３に示すように、背面用シート部１１０と右側側面用シート部１５０Ｒとは、右側の第２の折り目１８２Ｒを介して折り曲げ可能に連結されている。右側の第２の折り目１８２Ｒは、背面用シート部１１０の背面用シート部右辺１１６Ｒと、右側側面用シート部１５０Ｒの側面用シート部第１辺１５０Ａとの間の折り目を構成する。
【００５１】
＜第３の折り目１８４Ｌ及び第３の折り目１８４Ｒ＞
図４、図５及び図６に示すように、左側補助用シート部１６０Ｌは、左側の第３の折り目１８４Ｌを有し、図５及び図６に示すように、右側補助用シート部１６０Ｒは、右側の第３の折り目１８４Ｒを有する。
【００５２】
上述したように、左側補助用シート部１６０Ｌ及び右側補助用シート部１６０Ｒは、広がったときに細長い直角三角形に近い形状となる。補助用シート部第１辺１６０Ａ及び補助用シート部第２辺１６０Ｂは直線であり、補助用シート部第１辺１６０Ａと補助用シート部第２辺１６０Ｂとのなす角は略９０度である。この略９０度をなす角の対辺となる補助用シート部斜辺１６０Ｈは、直線ではなく、若干凸状に湾曲した曲線である。
【００５３】
第３の折り目１８４Ｌは、左側補助用シート部１６０Ｌの略９０度をなす角の頂点から、補助用シート部斜辺１６０Ｈに向かう折り目である。補助用シート部第１辺１６０Ａと第３の折り目１８４Ｌとがなす角と、補助用シート部第２辺１６０Ｂと第３の折り目１８４Ｌとがなす角とは、４５度である。４５度の角度をなすように第３の折り目１８４Ｌを形成することで、左側補助用シート部１６０Ｌを折り畳んだときに、補助用シート部第１辺１６０Ａと補助用シート部第２辺１６０Ｂとが重なるようにできる。
【００５４】
図５及び図６に示すように、左側補助用シート部１６０Ｌは、第３の折り目１８４Ｌを境にして画定される第１の左側補助用シート体１６０ＬＡと第２の左側補助用シート体１６０ＬＢとを有する。第３の折り目１８４Ｌで左側補助用シート部１６０Ｌを折り畳むと、第１の左側補助用シート体１６０ＬＡと第２の左側補助用シート体１６０ＬＢとの少なくとも一部が重なり合う。また、第３の折り目１８４Ｌで左側補助用シート部１６０Ｌを折り畳んだときには、補助用シート部第１辺１６０Ａと補助用シート部第２辺１６０Ｂとが重なるともに、補助用シート部第１辺１６０Ａを第１の折り目１８０に重ねることができる。
【００５５】
第３の折り目１８４Ｒも、同様に、右側補助用シート部１６０Ｒの略９０度をなす角の頂点から、補助用シート部斜辺１６０Ｈに向かう折り目である。補助用シート部第１辺１６０Ａと第３の折り目１８４Ｒとがなす角と、補助用シート部第２辺１６０Ｂと第３の折り目１８４Ｒとがなす角とは、４５度である。４５度の角度をなすように第３の折り目１８４Ｒを形成することで、右側補助用シート部１６０Ｒを折り畳んだときに、補助用シート部第１辺１６０Ａと補助用シート部第２辺１６０Ｂとが重なるようにできる。
【００５６】
図５及び図６に示すように、右側補助用シート部１６０Ｒは、第３の折り目１８４Ｒを境にして画定される第１の右側補助用シート体１６０ＲＡと第２の右側補助用シート体１６０ＲＢとを有する。第３の折り目１８４Ｒで右側補助用シート部１６０Ｒを折り畳むと、第１の右側補助用シート体１６０ＲＡと第２の右側補助用シート体１６０ＲＢとの少なくとも一部が重なり合う。また、第３の折り目１８４Ｒで右側補助用シート部１６０Ｒを折り畳んだときには、補助用シート部第１辺１６０Ａと補助用シート部第２辺１６０Ｂとが重なるともに、補助用シート部第１辺１６０Ａを第１の折り目１８０に重ねることができる。
【００５７】
左側補助用シート部１６０Ｌに第３の折り目１８４Ｌを形成したことにより、左側補助用シート部１６０Ｌ自体を折り畳むことができる。同様に、右側補助用シート部１６０Ｒに第３の折り目１８４Ｒを形成したことにより、右側補助用シート部１６０Ｒ自体を折り畳むことができる。このように、第３の折り目１８４Ｌ及び第３の折り目１８４Ｒによって、陳列棚１００を全体として小さく折り畳むことができる。
【００５８】
上述したように、左側補助用シート部１６０Ｌ及び右側補助用シート部１６０Ｒは、補助用シート部斜辺１６０Ｈと、補助用シート部第１辺１６０Ａと、補助用シート部第２辺１６０Ｂとの３辺からなる（図６参照）。補助用シート部斜辺１６０Ｈは、若干凸状に湾曲し膨出した曲線である。補助用シート部斜辺１６０Ｈは、左側補助用シート部１６０Ｌ及び右側補助用シート部１６０Ｒを折り畳んだときに突出しない範囲で膨出するようにするのが好ましい。補助用シート部斜辺１６０Ｈをなるべく膨出するように湾曲させることで、左側補助用シート部１６０Ｌ及び右側補助用シート部１６０Ｒを大きくでき、展開状態にしたときに、底面用シート部１３０との接触面積を大きくして展開状態を安定させることができる。
【００５９】
＜第４の折り目１８６Ｌ＞
図４〜図１４に示すように、左側側面用シート部１５０Ｌと左側補助用シート部１６０Ｌとは、左側の第４の折り目１８６Ｌを介して折り曲げ可能に連結されている。第４の折り目１８６Ｌは、左側側面用シート部１５０Ｌの側面用シート部第２辺１５０Ｂと左側補助用シート部１６０Ｌの補助用シート部第１辺１６０Ａとの間の折り目を構成する。
【００６０】
＜第４の折り目１８６Ｒ＞
図４、図５、図７、図９、図１０及び図１３に示すように、右側側面用シート部１５０Ｒと右側補助用シート部１６０Ｒとは、右側の第４の折り目１８６Ｒを介して折り曲げ可能に連結されている。第４の折り目１８６Ｒは、右側側面用シート部１５０Ｒの側面用シート部第２辺１５０Ｂと右側補助用シート部１６０Ｒの補助用シート部第１辺１６０Ａとの間の折り目を構成する。
【００６１】
＜接合部１７２Ｌ及び１７２Ｒ＞
図４及び図５に示すように、底面用シート部下辺１３６Ｂ及び補助用シート部第２辺１６０Ｂの近くで、底面用シート部１３０の左側底面シート１３２Ｌの一部の面と第２の左側補助用シート体１６０ＬＢの一部の面とを接合する接合部１７２Ｌを有する。底面用シート部１３０の右側底面シート１３２Ｒの一部の面と第２の右側補助用シート体１６０ＲＢの一部の面とを接合する接合部１７２Ｒを有する。なお、左側底面シート１３２Ｌ及び右側底面シート１３２Ｒについては後述する。
【００６２】
接合部１７２Ｌ及び１７２Ｒは、例えば、両面テープなどにすることができる。接合部１７２Ｌは、両面テープに限られず向かい合う面を互いに接合できるものであればよい。
【００６３】
接合部１７２Ｌ及び接合部１７２Ｒを設けたことにより、左側補助用シート部１６０Ｌと右側補助用シート部１６０Ｒとの動きに応じて底面用シート部１３０を連動させることができる。連動の詳細は後述する。なお、上述した例では、接合部１７２Ｌ及び１７２Ｒの双方を設ける場合を示したが、これらのいずれか一方のみを設けるように構成してもよい。左側補助用シート部１６０Ｌと右側補助用シート部１６０Ｒとのうちのいずれか一方のみでも底面用シート部１３０を連動させることができる。
【００６４】
＜背面用シート部１１０の係止の機構及び底面用シート部１３０の係止の機構＞
図１２は、背面用シート部１１０の係止の機構及び底面用シート部１３０の係止の機構を示す断面図である。なお、背面用シート部１１０の係止の機構と底面用シート部１３０の係止の機構とは同様であるので、図１２では、背面用シート部１１０の構成と底面用シート部１３０の構成との双方を示した。底面用シート部１３０の構成については括弧内に符号を示した。
【００６５】
＜背面用シート部１１０の構成＞
図１０、図１１、図１２、図１３、図１４に示すように、背面用シート部１１０は、左側背面シート１１２Ｌと中央背面シート１１２Ｃと右側背面シート１１２Ｒとの３つの別個のシートを含む。中央背面シート１１２Ｃは、略四角形の薄板状の形状を有する。左側背面シート１１２Ｌは、左側収納部１１４Ｌからなり、右側背面シート１１２Ｒは、右側収納部１１４Ｒからなる。左側収納部１１４Ｌ及び右側収納部１１４Ｒは戸袋状の形状で、その外観が略四角形の形状を有する。中央背面シート１１２Ｃは、引き戸状に左側収納部１１４Ｌ及び右側収納部１１４Ｒに収納される。
【００６６】
図１２Ａに示すように、中央背面シート１１２Ｃの左側の端辺及び右側の端辺は、反転するように折り曲げられて折り返し部１１８Ｃが形成されている。また、左側収納部１１４Ｌ及び右側収納部１１４Ｒの開口部も反転するように折り曲げられて折り返し部１１８Ｌ及び１１８Ｒが形成されている。図１２Ｂに示すように、中央背面シート１１２Ｃが左側収納部１１４Ｌ及び右側収納部１１４Ｒから引き出されて伸長した状態にするときには、中央背面シート１１２Ｃの折り返し部１１８Ｃが、左側収納部１１４Ｌ及び右側収納部１１４Ｒの折り返し部１１８Ｌ及び１１８Ｒによって係止され、中央背面シート１１２Ｃの全体が左側収納部１１４Ｌ及び右側収納部１１４Ｒから抜け出ることを防止できる。
【００６７】
＜底面用シート部１３０の構成＞
図１０、図１１、図１２、図１３、図１４に示すように、底面用シート部１３０も、同様に、左側底面シート１３２Ｌと中央底面シート１３２Ｃと右側底面シート１３２Ｒとの３つの別個のシートを含む。中央底面シート１３２Ｃは、略四角形の薄板状の形状を有する。左側底面シート１３２Ｌは、左側収納部１３４Ｌからなり、右側底面シート１３２Ｒは、右側収納部１３４Ｒからなる。左側収納部１３４Ｌ及び右側収納部１３４Ｒは戸袋状の形状で、その外観が略四角形の形状を有する。中央底面シート１３２Ｃは、引き戸状に左側収納部１３４Ｌ及び右側収納部１３４Ｒに収納される。
【００６８】
図１２Ａに示すように、中央底面シート１３２Ｃの左側の端辺及び右側の端辺は、反転するように折り曲げられて折り返し部１３８Ｃが形成されている。また、左側収納部１３４Ｌ及び右側収納部１３４Ｒの開口部も反転するように折り曲げられて折り返し部１３８Ｌ及び１３８Ｒが形成されている。図１２Ｂに示すように、中央底面シート１３２Ｃが左側収納部１３４Ｌ及び右側収納部１３４Ｒから引き出されて伸長した状態にするときには、中央底面シート１３２Ｃの折り返し部１３８Ｃが、左側収納部１３４Ｌ及び右側収納部１３４Ｒの折り返し部１３８Ｌ及び１３８Ｒによって係止され、中央底面シート１３２Ｃの全体が左側収納部１３４Ｌ及び右側収納部１３４Ｒから抜け出ることを防止できる。
【００６９】
＜陳列棚１００の収縮状態＞
中央背面シート１１２Ｃが左側背面シート１１２Ｌ及び右側背面シート１１２Ｒに収納され、かつ、中央底面シート１３２Ｃが左側底面シート１３２Ｌ及び右側底面シート１３２Ｒに収納された状態が、陳列棚１００が収縮した状態となる。
【００７０】
＜陳列棚１００の伸長状態＞
また、中央背面シート１１２Ｃが左側背面シート１１２Ｌ及び右側背面シート１１２Ｒから引き出され、かつ、中央底面シート１３２Ｃが左側底面シート１３２Ｌ及び右側底面シート１３２Ｒから引き出された状態が、陳列棚１００が伸長した状態となる。
【００７１】
＜左側部材１００Ｌ、中央部材１００Ｃ、右側部材１００Ｒ＞
図７に示すように、上述した左側背面シート１１２Ｌと左側底面シート１３２Ｌと左側側面用シート部１５０Ｌと左側補助用シート部１６０Ｌとによって左側部材１００Ｌが構成される。左側背面シート１１２Ｌと左側底面シート１３２Ｌと左側側面用シート部１５０Ｌと左側補助用シート部１６０Ｌとは、第１の折り目１８０と第２の折り目１８２Ｌと第３の折り目１８４Ｌ（図６等参照）と第４の折り目１８６Ｌとで折り曲げ可能で一体に形成されている。左側部材１００Ｌは、独立して展開状態と折り畳み状態とに遷移することができる。
【００７２】
また、図７に示すように、右側背面シート１１２Ｒと右側底面シート１３２Ｒと右側側面用シート部１５０Ｒと右側補助用シート部１６０Ｒとによって右側部材１００Ｒが構成される。右側背面シート１１２Ｒと右側底面シート１３２Ｒと右側側面用シート部１５０Ｒと右側補助用シート部１６０Ｒとは、第１の折り目１８０と第２の折り目１８２Ｒと第３の折り目１８４Ｒ（図６等参照）と第４の折り目１８６Ｒとで折り曲げ可能で一体に形成されている。右側部材１００Ｒは、独立して開状態と折り畳み状態とに遷移することができる。
【００７３】
図１０に示すように、中央背面シート１１２Ｃと中央底面シート１３２Ｃとによって中央部材１００Ｃが構成される。中央背面シート１１２Ｃ及び中央底面シート１３２Ｃは、別体に構成されている。
【００７４】
このように、陳列棚１００は、中央部材１００Ｃを挟んで左側部材１００Ｌ及び右側部材１００Ｒが伸縮可能に構成されている。
【００７５】
＜陳列棚１００の組み立て＞
以下に、図１〜図１４を参照して陳列棚１００を組み立てる手順を説明する。
【００７６】
図１及び図２に示す状態は、陳列棚１００が折り畳まれた折り畳み状態である。図１及び図２は、背面用シート部１１０が、最も下に位置し、その上に底面用シート部１３０が重ねられ、さらに、その上に右側側面用シート部１５０Ｒが重なり、最も上に左側側面用シート部１５０Ｌが重なっている状態である。右側補助用シート部１６０Ｒは、右側の第３の折り目１８４Ｒ（図６等参照）で折り曲げられ、底面用シート部１３０と右側側面用シート部１５０Ｒとの間に位置する。左側補助用シート部１６０Ｌは、左側の第３の折り目１８４Ｌ（図６等参照）で折り曲げられ、底面用シート部１３０と左側側面用シート部１５０Ｌとの間に位置する。この折り畳み状態では、陳列棚１００は、略正方形状の薄い板状の形状となる。
【００７７】
次に、図３に示すように、折り畳み状態で最も上に位置している左側側面用シート部１５０Ｌを持ち上げる。左側側面用シート部１５０Ｌは、折り畳み状態では、左側の第２の折り目１８２Ｌで折り曲げられて右側側面用シート部１５０Ｒに重なっている。左側側面用シート部１５０Ｌを広げることで、左側側面用シート部１５０Ｌと左側補助用シート部１６０Ｌとに共通する角部１７０Ｌが、頂点となって上に向かって移動する。
【００７８】
続けて、図４に示すように、右側側面用シート部１５０Ｒを持ち上げる。右側側面用シート部１５０Ｒは、折り畳み状態では、右側の第２の折り目１８２Ｒで折り曲げられて底面用シート部１３０に重なっている。右側側面用シート部１５０Ｒを広げることで、右側側面用シート部１５０Ｒと右側補助用シート部１６０Ｒとに共通する角部１７０Ｒが、頂点となって上に向かって移動する。
【００７９】
次に、図５に示すように、左側側面用シート部１５０Ｌ及び右側側面用シート部１５０Ｒの双方を広げる。上述したように、接合部１７２Ｌが、底面用シート部１３０の一部の面と第２の左側補助用シート体１６０ＬＢの一部の面とを接合する。接合部１７２Ｒが、底面用シート部１３０の一部の面と第２の右側補助用シート体１６０ＲＢの一部の面とを接合する。
【００８０】
左側側面用シート部１５０Ｌを開くと、左側補助用シート部１６０Ｌが広がりつつ、第２の左側補助用シート体１６０ＬＢが上方向に持ち上げられる。第２の左側補助用シート体１６０ＬＢが上方向に移動すると接合部１７２Ｌも上方向に移動し、接合部１７２Ｌに接合されている底面用シート部１３０の左側底面シート１３２Ｌも上方向に移動する。
【００８１】
同様に、右側側面用シート部１５０Ｒを開くと、左側補助用シート部１６０Ｒが広がりつつ、第２の右側補助用シート体１６０ＲＢが上方向に持ち上げられる。第２の右側補助用シート体１６０ＲＢが上方向に移動すると接合部１７２Ｒも上方向に移動し、接合部１７２Ｒに接合されている底面用シート部１３０の右側底面シート１３２Ｒも上方向に移動する。
【００８２】
このように、図５に示すように、左側側面用シート部１５０Ｌ及び右側側面用シート部１５０Ｒを開くと、接合部１７２Ｌ及び接合部１７２Ｒを介して左側底面シート１３２Ｌ及び右側底面シート１３２Ｒを連動させることができ、底面用シート部１３０を移動させることができる。
【００８３】
図１〜図５は、背面用シート部１１０が下（床面）に向くように、陳列棚１００を載置した状態を示す図である。図７〜図１４は、陳列棚１００を略９０度回転させて、底面用シート部１３０が下（床面）に向くように置き直した状態を示す図である。
【００８４】
図７は、正面右上から見た斜視図であり、図８は、背面左上から見た斜視図である。上述したように底面用シート部１３０が連動した状態となる。
【００８５】
図９は、陳列棚１００の展開状態を示す斜視図である。図９に示すように、底面用シート部１３０が底面に位置するとともに、背面用シート部１１０並びに左側側面用シート部１５０Ｌ及び右側側面用シート部１５０Ｒは、底面用シート部１３０に対して略９０度に配置される。さらに、左側側面用シート部１５０Ｌ及び右側側面用シート部１５０Ｒは、背面用シート部１１０に対して略９０度に配置される。
【００８６】
陳列棚１００が展開状態や陳列状態になったときには、左側補助用シート部１６０Ｌ及び右側補助用シート部１６０Ｒの上側に底面用シート部１３０が位置する。上述したように、左側補助用シート部１６０Ｌ及び右側補助用シート部１６０Ｒは、背面用シート部１１０と側面用シート部１５０とのなす角が略９０度になるように導きかつ維持するための部材である。陳列棚１００が展開状態や陳列状態になったときに底面用シート部１３０が上側から左側補助用シート部１６０Ｌ及び右側補助用シート部１６０Ｒを押さえ込むようにしたことにより、第３の折り目１８４Ｌ及び１８４Ｒで折れ曲がりにくくして、左側補助用シート部１６０Ｌ及び右側補助用シート部１６０Ｒの展開状態を安定的に維持することができ、背面用シート部１１０と側面用シート部１５０との展開状態を安定的に保持することができる。
【００８７】
さらに、背面用シート部１１０の左側背面シート１１２Ｌと底面用シート部１３０の左側底面シート１３２Ｌとを左側に移動させるとともに、背面用シート部１１０の右側背面シート１１２Ｒと底面用シート部１３０の右側底面シート１３２Ｒとを右側に移動させる。これにより、図１０及び図１１に示すように、左側背面シート１１２Ｌの左側収納部１１４Ｌから中央背面シート１１２Ｃの左部分が引き出され、左側底面シート１３２Ｌの左側収納部１３４Ｌから中央底面シート１３２Ｃの左部分が引き出され、右側背面シート１１２Ｒの右側収納部１１４Ｒから中央背面シート１１２Ｃの右部分が引き出され、右側底面シート１３２Ｒの右側収納部１３４Ｒから中央底面シート１３２Ｃの右部分が引き出される。図１０は、正面右上から見た斜視図であり、図１１は、背面右上から見た斜視図である。
【００８８】
さらに、背面用シート部１１０の左側背面シート１１２Ｌと底面用シート部１３０の左側底面シート１３２Ｌと（左側部材１００Ｌ）を左側に移動させるとともに、背面用シート部１１０の右側背面シート１１２Ｒと底面用シート部１３０の右側底面シート１３２Ｒと（右側部材１００Ｒ）を右側に移動させる。これにより、図１３及び図１４に示すように、陳列棚１００を伸長状態にすることができる。図１３は、正面右上から見た斜視図であり、図１４は、背面右上から見た斜視図である。
【００８９】
陳列棚１００を伸縮可能にすることで、陳列棚１００が設置される環境や、陳列される商品に応じた大きさに適合させることができる。
【００９０】
＜＜＜第２の実施の形態＞＞＞
図１５〜図２８を参照して、第２の実施の形態の陳列棚２００を説明する。
【００９１】
図１５に示す状態が陳列棚２００の折り畳み状態であり、図２４及び図２５に示す状態が陳列棚２００の展開状態である。図１５から図２４及び図２５の順に広げることで陳列棚２００を展開状態にできる。反対に、図２４及び図２５から図１５の順に畳むことで陳列棚２００を折り畳み状態にできる。
【００９２】
また、図２４及び図２５に示す状態が陳列棚２００の展開状態であるとともに収縮状態であり、図２７及び図２８に示す状態が陳列棚２００の伸長状態である。図２４及び図２５から図２７及び図２８のように伸ばすことで陳列棚２００を伸長状態にできる。逆に、図２７及び図２８から図２４及び図２５のように縮ませることで陳列棚２００を収縮状態にできる。
【００９３】
＜陳列棚２００の構成＞
陳列棚２００は、背面用シート部２１０と底面用シート部２３０と２枚の側面用シート部２５０と２枚の補助用シート部２６０とを備える。２枚の側面用シート部２５０は、左側側面用シート部２５０Ｌと右側側面用シート部２５０Ｒとからなる。２枚の補助用シート部２６０は、左側補助用シート部２６０Ｌと右側補助用シート部２６０Ｒとからなる。
【００９４】
図２４及び図２５に示すように、背面用シート部２１０は、展開状態で背面を構成する部材である。底面用シート部２３０は、展開状態や陳列状態で底面を構成する部材である。側面用シート部２５０は、展開状態や陳列状態で左側と右側の側面を構成する部材である。補助用シート部２６０は、展開状態や陳列状態で左側と右側の補助面を構成する部材である（図１９参照）。補助用シート部２６０は、展開状態や陳列状態のときに、背面用シート部２１０と側面用シート部２５０とのなす角が略９０度になるように導きかつ維持するための部材である。
【００９５】
＜背面用シート部２１０＞
図２４及び図２５に示すように、背面用シート部２１０は、平坦で略四角形の形状を有する。背面用シート部２１０は、背面用シート部上辺２１６Ｔと背面用シート部下辺２１６Ｂと背面用シート部左辺２１６Ｌと背面用シート部右辺２１６Ｒとを有する。背面用シート部上辺２１６Ｔ及び背面用シート部下辺２１６Ｂは同じ長さを有し平行である。背面用シート部左辺２１６Ｌ及び背面用シート部右辺２１６Ｒは同じ長さを有し平行である。背面用シート部左辺２１６Ｌ及び背面用シート部右辺２１６Ｒは、背面用シート部上辺２１６Ｔ及び背面用シート部下辺２１６Ｂに対して垂直である。
【００９６】
＜底面用シート部２３０＞
図２２、図２３及び図２４に示すように、底面用シート部２３０は、平坦で略四角形の形状を有する。底面用シート部２３０は、底面用シート部上辺２３６Ｔと底面用シート部下辺２３６Ｂと底面用シート部左辺２３６Ｌと底面用シート部右辺２３６Ｒとを有する。底面用シート部上辺２３６Ｔ及び底面用シート部下辺２３６Ｂは同じ長さを有し平行である。底面用シート部左辺２３６Ｌ及び底面用シート部右辺２３６Ｒは同じ長さを有し平行である。底面用シート部左辺２３６Ｌ及び底面用シート部右辺２３６Ｒは、底面用シート部上辺２３６Ｔ及び底面用シート部下辺２３６Ｂに対して垂直である。
【００９７】
＜収納用シート部２９０＞
図２５及び図２８に示すように、背面用シート部上辺２１６Ｔには裏面に折り曲げられた折り曲げ部２２０が形成されている。また、図１５、図１７、図１８、図１９、図２１及び図２２に示すように、底面用シート部上辺２３６Ｔにも裏面に折り曲げられた折り曲げ部２４０が形成されている。この背面用シート部上辺２１６Ｔの折り曲げ部２２０と底面用シート部上辺２３６Ｔの折り曲げ部２４０とに接合された収納用シート部２９０を有する（図１５、図１７、図１８、図１９、図２１、図２２、図２５等参照）。収納用シート部２９０は、背面用シート部２１０の裏面と底面用シート部２３０の裏面とに沿って設けられている。
【００９８】
背面用シート部２１０と収納用シート部２９０とによって、後述する左側収納部２１４Ｌが形成され、底面用シート部２３０と収納用シート部２９０とによって、後述する左側収納部２３４Ｌが形成される。
【００９９】
＜左側側面用シート部２５０Ｌ及び右側側面用シート部２５０Ｒ＞
図１５〜図２８に示すように、左側側面用シート部２５０Ｌ及び右側側面用シート部２５０Ｒは、平坦で略直角三角形の形状を有する。左側側面用シート部２５０Ｌ及び右側側面用シート部２５０Ｒは、側面用シート部斜辺２５０Ｈと側面用シート部第１辺２５０Ａと側面用シート部第２辺２５０Ｂとからなる。側面用シート部斜辺２５０Ｈは直角三角形の斜辺である。側面用シート部第１辺２５０Ａと側面用シート部第２辺２５０Ｂとのなす角が略９０度である。
【０１００】
＜左側補助用シート部２６０Ｌ及び右側補助用シート部２６０Ｒ＞
図１９、図２０及び図２２に示すように、左側補助用シート部２６０Ｌ及び右側補助用シート部２６０Ｒは、展開されて広がったときに平坦で直角三角形に近い形状を有する。左側補助用シート部２６０Ｌ及び右側補助用シート部２６０Ｒの各々は、補助用シート部斜辺２６０Ｈと、補助用シート部第１辺２６０Ａと、補助用シート部第２辺２６０Ｂとの３辺からなる。補助用シート部第１辺２６０Ａ及び補助用シート部第２辺２６０Ｂは直線であり、補助用シート部第１辺２６０Ａと補助用シート部第２辺２６０Ｂとのなす角は略９０度である。補助用シート部斜辺２６０Ｈは、直線ではなく、若干凸状に湾曲した曲線である。後述するように、折り畳み状態では、左側補助用シート部２６０Ｌ及び右側補助用シート部２６０Ｒ自体が、折れ曲がって重なり合うことができる。また、展開状態では、補助用シート部第１辺２６０Ａと補助用シート部第２辺２６０Ｂとのなす角は略９０度になる。
【０１０１】
＜第１の折り目２８０＞
図２３及び図２４に示すように、背面用シート部２１０と底面用シート部２３０とは、第１の折り目２８０を介して折り曲げ可能に連結されている。第１の折り目２８０は、背面用シート部２１０の背面用シート部下辺２１６Ｂと、底面用シート部２３０の底面用シート部下辺２３６Ｂと間の折り目を構成する。
【０１０２】
＜第２の折り目２８２Ｌ及び第２の折り目２８２Ｒ＞
図２４〜図２８に示すように、背面用シート部２１０と左側側面用シート部２５０Ｌとは、左側の第２の折り目２８２Ｌを介して折り曲げ可能に連結されている。左側の第２の折り目２８２Ｌは、背面用シート部２１０の背面用シート部左辺２１６Ｌと、左側側面用シート部２５０Ｌの側面用シート部第１辺２５０Ａとの間の折り目を構成する。
【０１０３】
図２４〜図２８に示すように、背面用シート部２１０と右側側面用シート部２５０Ｒとは、右側の第２の折り目２８２Ｒを介して折り曲げ可能に連結されている。右側の第２の折り目２８２Ｒは、背面用シート部２１０の背面用シート部右辺２１６Ｒと、右側側面用シート部２５０Ｒの側面用シート部第１辺２５０Ａとの間の折り目を構成する。
【０１０４】
＜第３の折り目２８４Ｌ及び第３の折り目２８４Ｒ＞
図１９、図２０及び図２２に示すように、左側補助用シート部２６０Ｌは、左側の第３の折り目２８４Ｌを有し、右側補助用シート部２６０Ｒは、右側の第３の折り目２８４Ｒを有する。
【０１０５】
上述したように、左側補助用シート部２６０Ｌ及び右側補助用シート部２６０Ｒは、広がったときに細長い直角三角形に近い形状を有する。補助用シート部第１辺２６０Ａ及び補助用シート部第２辺２６０Ｂは直線であり、補助用シート部第１辺２６０Ａと補助用シート部第２辺２６０Ｂとのなす角は略９０度である。この略９０度をなす角の対辺となる補助用シート部斜辺２６０Ｈは、直線ではなく、若干凸状に湾曲した曲線である。
【０１０６】
第３の折り目２８４Ｌは、左側補助用シート部２６０Ｌの略９０度をなす角の頂点から、補助用シート部斜辺２６０Ｈに向かう折り目である。補助用シート部第１辺２６０Ａと第３の折り目２８４Ｌとがなす角と、補助用シート部第２辺２６０Ｂと第３の折り目２８４Ｌとがなす角とは、４５度である。４５度の角度をなすように第３の折り目２８４Ｌを形成することで、左側補助用シート部２６０Ｌを折り畳んだときに、補助用シート部第１辺２６０Ａと補助用シート部第２辺２６０Ｂとが重なるようにできる。
【０１０７】
図１９、図２０及び図２２に示すように、左側補助用シート部２６０Ｌは、第３の折り目２８４Ｌを境にして画定される第１の左側補助用シート体２６０ＬＡと第２の左側補助用シート体２６０ＬＢとを有する。第３の折り目２８４Ｌで左側補助用シート部２６０Ｌを折り畳むと、第１の左側補助用シート体２６０ＬＡと第２の左側補助用シート体２６０ＬＢとの少なくとも一部が重なり合う。また、第３の折り目２８４Ｌで左側補助用シート部２６０Ｌを折り畳んだときには、補助用シート部第１辺２６０Ａと補助用シート部第２辺２６０Ｂとが重なるともに、補助用シート部第１辺２６０Ａを第１の折り目２８０に重ねることができる。
【０１０８】
第３の折り目２８４Ｒも、同様に、右側補助用シート部２６０Ｒの略９０度をなす角の頂点から、補助用シート部斜辺２６０Ｈに向かう折り目である。補助用シート部第１辺２６０Ａと第３の折り目２８４Ｒとがなす角と、補助用シート部第２辺２６０Ｂと第３の折り目２８４Ｒとがなす角とは、４５度である。４５度の角度をなすように第３の折り目２８４Ｒを形成することで、右側補助用シート部２６０Ｒを折り畳んだときに、補助用シート部第１辺２６０Ａと補助用シート部第２辺２６０Ｂとが重なるようにできる。
【０１０９】
図１９、図２０及び図２２に示すように、右側補助用シート部２６０Ｒは、第３の折り目２８４Ｒを境にして画定される第１の右側補助用シート体２６０ＲＡと第２の右側補助用シート体２６０ＲＢとを有する。第３の折り目２８４Ｒで右側補助用シート部２６０Ｒを折り畳むと、第１の右側補助用シート体２６０ＲＡと第２の右側補助用シート体２６０ＲＢとの少なくとも一部が重なり合う。また、第３の折り目２８４Ｒで右側補助用シート部２６０Ｒを折り畳んだときには、補助用シート部第１辺２６０Ａと補助用シート部第２辺２６０Ｂとが重なるともに、補助用シート部第１辺２６０Ａを第１の折り目２８０に重ねることができる。
【０１１０】
左側補助用シート部２６０Ｌに第３の折り目２８４Ｌを形成したことにより、左側補助用シート部２６０Ｌ自体を折り畳むことができる。同様に、右側補助用シート部２６０Ｒに第３の折り目２８４Ｒを形成したことにより、右側補助用シート部２６０Ｒ自体を折り畳むことができる。このように、第３の折り目２８４Ｌ及び第３の折り目２８４Ｒによって、陳列棚２００を小さく折り畳むことができる。
【０１１１】
上述したように、左側補助用シート部２６０Ｌ及び右側補助用シート部２６０Ｒは、補助用シート部斜辺２６０Ｈと、補助用シート部第１辺２６０Ａと、補助用シート部第２辺２６０Ｂとの３辺からなる（図２０参照）。補助用シート部斜辺２６０Ｈは、若干凸状に湾曲し膨出した曲線である。補助用シート部斜辺２６０Ｈは、左側補助用シート部２６０Ｌ及び右側補助用シート部２６０Ｒを折り畳んだときに突出しない範囲で膨出するようにするのが好ましい。補助用シート部斜辺２６０Ｈをなるべく膨出するように湾曲させることで、左側補助用シート部２６０Ｌ及び右側補助用シート部２６０Ｒを大きくでき、展開状態にしたときに、底面用シート部２３０との接触面積を大きくして展開状態を安定させることができる。
【０１１２】
＜第４の折り目２８６Ｌ＞
図１９、図２１、図２２、図２３に示すように、左側側面用シート部２５０Ｌと左側補助用シート部２６０Ｌとは、左側の第４の折り目２８６Ｌを介して折り曲げ可能に連結されている。第４の折り目２８６Ｌは、左側側面用シート部２５０Ｌの側面用シート部第２辺２５０Ｂと左側補助用シート部２６０Ｌの補助用シート部第１辺２６０Ａとの間の折り目を構成する。
【０１１３】
＜第４の折り目２８６Ｒ＞
図１９、図２１、図２２、図２３に示すように、右側側面用シート部２５０Ｒと右側補助用シート部２６０Ｒとは、右側の第４の折り目２８６Ｒを介して折り曲げ可能に連結されている。第４の折り目２８６Ｒは、右側側面用シート部２５０Ｒの側面用シート部第２辺２５０Ｂと右側補助用シート部２６０Ｒの補助用シート部第１辺２６０Ａとの間の折り目を構成する。
【０１１４】
＜延出部２７２Ｌ及び２７２Ｒ＞
図２５及び図２８に示すように、左側補助用シート部２６０Ｌ及び左側補助用シート部２６０Ｌには、延出部２７２Ｌ及び２７２Ｒが形成されている。左側補助用シート部２６０Ｌの延出部２７２Ｌは、背面用シート部２１０の左側背面シート２１２Ｌに接合されている。右側補助用シート部２６０Ｒの延出部２７２Ｒは、背面用シート部２１０の右側背面シート２１２Ｒに接合されている。
【０１１５】
＜第５の折り目２８８Ｌ＞
図２２に示すように、左側補助用シート部２６０Ｌと底面用シート部２３０とは、左側の第５の折り目２８８Ｌを介して折り曲げ可能に連結されている。第５の折り目２８８Ｌは、左側補助用シート部２６０Ｌの補助用シート部第２辺２６０Ｂと底面用シート部２３０の底面用シート部下辺２３６Ｂの一部との間の折り目を構成する。左側補助用シート部２６０Ｌの延出部２７２Ｌを背面用シート部２１０の左側背面シート２１２Ｌに接合することで、折り曲げ可能な第５の折り目２８８Ｌを形成することができる。
【０１１６】
＜第５の折り目２８８Ｒ＞
図２１及び図２２に示すように、第５の折り目２８８Ｌと同様に、右側補助用シート部２６０Ｒと底面用シート部２３０とは、右側の第５の折り目２８８Ｒを介して折り曲げ可能に連結されている。第５の折り目２８８Ｒは、右側補助用シート部２６０Ｒの補助用シート部第２辺２６０Ｂと底面用シート部２３０の底面用シート部下辺２３６Ｂの一部との間の折り目を構成する。右側補助用シート部２６０Ｒの延出部２７２Ｒを背面用シート部２１０の右側背面シート２１２Ｒに接合することで、折り曲げ可能な第５の折り目２８８Ｒを形成することができる。
【０１１７】
第１の実施の形態による陳列棚１００では、接合部１７２Ｌによって、底面用シート部１３０と第２の左側補助用シート体１６０ＬＢとが接合され、接合部１７２Ｒによって、底面用シート部１３０と第２の右側補助用シート体１６０ＲＢとが接合されている。このため、陳列棚１００には、第５の折り目２８８Ｌ及び２８８Ｒは形成されない。
【０１１８】
これに対して第２の実施の形態による陳列棚２００では、第５の折り目２８８Ｌによって、左側補助用シート部２６０Ｌと底面用シート部２３０とを折り曲げることができ、第５の折り目２８８Ｒによって、右側補助用シート部２６０Ｒと底面用シート部２３０とを折り曲げることができる。底面用シート部２３０は、左側補助用シート部２６０Ｌ及び右側補助用シート部２６０Ｒによって連動せず、別個に移動させることができる。なお、上述した例では、延出部２７２Ｌ及び２７２Ｒの双方を設ける場合を示したが、これらのいずれか一方のみを設けるように構成してもよい。
【０１１９】
＜背面用シート部２１０の係止の機構及び底面用シート部２３０の係止の機構＞
図２６は、背面用シート部２１０の係止の機構及び底面用シート部２３０の係止の機構を示す断面図である。なお、背面用シート部２１０の係止の機構と底面用シート部２３０の係止の機構とは同様であるので、図２６では、背面用シート部２１０の構成と底面用シート部２３０の構成との双方を示した。底面用シート部２３０の構成については括弧内に符号を示した。
【０１２０】
＜背面用シート部２１０の構成＞
図２４、図２５、図２６、図２７、図２８に示すように、背面用シート部２１０は、左側背面シート２１２Ｌと右側背面シート２１２Ｒとの２つの別個のシートを含む。左側背面シート２１２Ｌは、左側収納部２１４Ｌからなる。左側収納部２１４は、背面用シート部２１０と収納用シート部２９０とによって形成される。左側収納部２１４Ｌは戸袋状の形状で、その外観は略四角形の形状を有する。右側背面シート２１２Ｒは、略四角形の形状を有し、引き戸状に左側収納部２１４Ｌに収納される。
【０１２１】
図２６Ａに示すように、右側背面シート２１２Ｒの左側の端辺は、反転するように折り曲げられて折り返し部２１８Ｒが形成されている。また、左側収納部２１４Ｌの開口部も反転するように折り曲げられて折り返し部２１８Ｌが形成されている。図２６Ｂに示すように、右側背面シート２１２Ｒが左側収納部２１４Ｌから引き出されて伸長した状態にするときには、右側背面シート２１２Ｒの折り返し部２１８Ｒが、左側収納部２１４Ｌの折り返し部２１８Ｌによって係止され、右側背面シート２１２Ｒの全体が左側収納部２１４Ｌから抜け出ることを防止できる。
【０１２２】
＜底面用シート部２３０の構成＞
図２４、図２５、図２６、図２７、図２８に示すように、底面用シート部２３０も、同様に、左側底面シート２３２Ｌと右側底面シート２３２Ｒとの２つの別個のシートを含む。左側底面シート２３２Ｌは、左側収納部２３４Ｌからなる。左側収納部２３４Ｌは、底面用シート部２３０と収納用シート部２９０とによって形成される。左側収納部２３４Ｌは戸袋状の形状で、その外観は略四角形の形状を有する。右側底面シート２３２Ｒは、略四角形の形状を有し、引き戸状に左側収納部２３４Ｌに収納される。
【０１２３】
図２６Ａに示すように、右側底面シート２３２Ｒの左側の端辺は、反転するように折り曲げられて折り返し部２３８Ｒが形成されている。また、左側収納部２３４Ｌの開口部も反転するように折り曲げられて折り返し部２３８Ｌが形成されている。図２６Ｂに示すように、右側底面シート２３２Ｒが左側収納部２３４Ｌから引き出されて伸長した状態にするときには、右側底面シート２３２Ｒの折り返し部２３８Ｒが、左側収納部２３４Ｌの折り返し部２３８Ｌによって係止され、右側底面シート２３２Ｒの全体が左側収納部２３４Ｌから抜け出ることを防止できる。
【０１２４】
＜陳列棚２００の収縮状態＞
右側背面シート２１２Ｒが左側背面シート２１２Ｌに収納され、かつ、右側底面シート２３２Ｒが左側底面シート２３２Ｌに収納された状態が、陳列棚２００が収縮した状態となる。
【０１２５】
＜陳列棚２００の伸長状態＞
また、右側背面シート２１２Ｒが左側背面シート２１２Ｌから引き出され、かつ、右側底面シート２３２Ｒが左側底面シート２３２Ｌから引き出された状態が、陳列棚２００が伸長した状態となる。
【０１２６】
＜左側部材２００Ｌ、右側部材２００Ｒ＞
図２２及び図２３に示すように、左側背面シート２１２Ｌと左側底面シート２３２Ｌと左側側面用シート部２５０Ｌと左側補助用シート部２６０Ｌとによって左側部材２００Ｌが構成される。左側背面シート２１２Ｌと左側底面シート２３２Ｌと左側側面用シート部２５０Ｌと左側補助用シート部２６０Ｌとは、第１の折り目２８０と第２の折り目２８２Ｌと第３の折り目２８４Ｌ（図２０等参照）と第４の折り目２８６Ｌと第５の折り目２８８Ｌとで折り曲げ可能で一体に形成されている。左側部材２００Ｌは、独立して展開状態と折り畳み状態とに遷移することができる。
【０１２７】
また、右側背面シート２１２Ｒと右側底面シート２３２Ｒと右側側面用シート部２５０Ｒと右側補助用シート部２６０Ｒとによって右側部材２００Ｒが構成される。右側背面シート２１２Ｒと右側底面シート２３２Ｒと右側側面用シート部２５０Ｒと右側補助用シート部２６０Ｒとは、第１の折り目２８０と第２の折り目２８２Ｒと第３の折り目２８４Ｒ（図２０等参照）と第４の折り目２８６Ｌと第５の折り目２８８Ｌとで折り曲げ可能で一体に形成されている。右側部材２００Ｒは、独立して開状態と折り畳み状態とに遷移することができる。
【０１２８】
このように、陳列棚２００は、左側部材２００Ｌ及び右側部材２００Ｒが伸縮可能に構成されている。
【０１２９】
＜陳列棚２００の組み立て＞
以下に、図１５〜図２８を参照して陳列棚２００を組み立てる手順を説明する。
【０１３０】
図１５及び図１６に示す状態は、陳列棚２００が折り畳まれた折り畳み状態である。図１５及び図１６は、背面用シート部２１０が、最も下に位置し、その上に底面用シート部２３０が重ねられ、さらに、その上に右側側面用シート部２５０Ｒが重なり、最も上に左側側面用シート部２５０Ｌが重なっている状態である。右側補助用シート部２６０Ｒは、右側の第３の折り目２８４Ｒ（図２０等参照）で折り曲げられ、底面用シート部２３０と右側側面用シート部２５０Ｒとの間に位置する。左側補助用シート部２６０Ｌは、左側の第３の折り目２８４Ｌ（図２０等参照）で折り曲げられ、底面用シート部２３０と左側側面用シート部２５０Ｌとの間に位置する。この折り畳み状態では、陳列棚２００は、略長方形状の薄い板状の形状となる。
【０１３１】
次に、図１７に示すように、折り畳み状態で最も上に位置している左側側面用シート部２５０Ｌを持ち上げて広げる。左側側面用シート部２５０Ｌは、折り畳み状態では、左側の第２の折り目２８２Ｌで折り曲げられて右側側面用シート部２５０Ｒに重なっている。左側側面用シート部２５０Ｌを広げることで、左側側面用シート部２５０Ｌと左側補助用シート部２６０Ｌとに共通する角部２７０Ｌが、頂点となって上に向かって移動する。
【０１３２】
次に、図１８に示すように、右側側面用シート部２５０Ｒを持ち上げて広げる。右側側面用シート部２５０Ｒは、折り畳み状態では、右側の第２の折り目２８２Ｒで折り曲げられて底面用シート部２３０に重なっている。右側側面用シート部２５０Ｒを広げることで、右側側面用シート部２５０Ｒと右側補助用シート部２６０Ｒとに共通する角部２７０Ｒが、頂点となって上に向かって移動する。
【０１３３】
次に、図１９に示すように、左側側面用シート部２５０Ｌ及び右側側面用シート部２５０Ｒの双方を広げる。第１の実施の形態の陳列棚１００とは異なり、接合部１７２Ｌ及び１７２Ｒではなく、陳列棚２００の左側補助用シート部２６０Ｌは、延出部２７２Ｌによって左側背面シート２１２Ｌに接続され、陳列棚２００の右側補助用シート部２６０Ｒは、延出部２７２Ｒによって右側背面シート２１２Ｒに接続されている。このため、底面用シート部２３０は左側側面用シート部２５０Ｌ及び右側側面用シート部２５０Ｒと連動することはなく、左側側面用シート部２５０Ｌ及び右側側面用シート部２５０Ｒの双方を広げた場合でも、底面用シート部２３０は移動せず、別個に動かすことができる。
【０１３４】
図１５〜図１９は、背面用シート部２１０が下（床面）に向くように、陳列棚２００を載置した状態を示す図である。図２１〜図２８は、陳列棚２００を略９０度回転させて、底面用シート部２３０が下（床面）に向くように置き直した状態を示す図である。図２１及び図２２は、正面左上から見た斜視図である。図２３は、背面左上から見た斜視図である。図２２及び図２３に示すように、左側側面用シート部２５０Ｌ及び右側側面用シート部２５０Ｒを広げても、底面用シート部２３０は連動しない。
【０１３５】
図２４及び図２５は、陳列棚２００の展開状態を示す斜視図である。図２４及び図２５に示すように、底面用シート部２３０が底面に位置するとともに、背面用シート部２１０並びに左側側面用シート部２５０Ｌ及び右側側面用シート部２５０Ｒは、底面用シート部２３０に対して略９０度に配置される。さらに、左側側面用シート部２５０Ｌ及び右側側面用シート部２５０Ｒは、背面用シート部２１０に対して略９０度に配置される。
【０１３６】
陳列棚２００が展開状態や陳列状態になったときには、左側補助用シート部２６０Ｌ及び右側補助用シート部２６０Ｒの上側に底面用シート部２３０が位置する。上述したように、左側補助用シート部２６０Ｌ及び右側補助用シート部２６０Ｒは、背面用シート部２１０と側面用シート部２５０とのなす角が略９０度になるように導きかつ維持するための部材である。陳列棚２００が展開状態や陳列状態になったときに底面用シート部２３０が上側から左側補助用シート部２６０Ｌ及び右側補助用シート部２６０Ｒを押さえ込むようにしたことにより、第３の折り目２８４Ｌ及び２８４Ｒで折れ曲がりにくくして、左側補助用シート部２６０Ｌ及び右側補助用シート部２６０Ｒの展開状態を安定的に維持することができ、背面用シート部２１０と側面用シート部２５０との展開状態を安定的に保持することができる。
【０１３７】
さらに、背面用シート部２１０の左側背面シート２１２Ｌと底面用シート部２３０の左側底面シート２３２Ｌと（左側部材２００Ｌ）に対して、背面用シート部２１０の右側背面シート２１２Ｒと底面用シート部２３０の右側底面シート２３２Ｒと（右側部材２００Ｒ）を右側に移動させる。これにより、図２７及び図２８に示すように、左側背面シート２１２Ｌの左側収納部２１４Ｌから右側背面シート２１２Ｒの左部分が引き出され、左側底面シート２３２Ｌの左側収納部２３４Ｌから右側底面シート２３２Ｒの左部分が引き出される。図２７は、正面左上から見た斜視図であり、図２８は、背面左上から見た斜視図である。これにより、図２７及び図２８に示すように、陳列棚２００を伸長状態にすることができる。
【０１３８】
陳列棚２００を伸縮可能にすることで、陳列棚２００が設置される環境や、陳列される商品に応じた大きさに適合させることができる。
【０１３９】
＜＜＜第３の実施の形態＞＞＞
図２９〜図４２を参照して、第３の実施の形態の陳列棚３００を説明する。
【０１４０】
図２９に示す状態が陳列棚３００の折り畳み状態であり、図３８に示す状態が陳列棚３００の展開状態である。図２９から図３８の順に広げることで陳列棚３００を展開状態にできる。展開状態は、陳列棚３００が組み立てられて展開された状態をいう。逆に、図３８から図２９の順に畳むことで陳列棚３００を折り畳み状態にできる。
【０１４１】
また、図３８に示す状態が陳列棚３００の展開状態であるとともに収縮状態であり、図３９及び図４０に示す状態が陳列棚３００の伸長状態である。図３８から図３９及び図４０に示すように伸ばすことで陳列棚３００を伸長状態にできる。逆に、図３９及び図４０から図３８に示すように縮ませることで陳列棚３００を収縮状態にできる。さらに、図４２に示すように、係止体３９０を折り曲げることで、商品に関する情報を表示する表示板などを設けることができる。例えば、商品名や金額などの情報を表示する表示板などを係止体３９０に掛止できる。
【０１４２】
＜陳列棚３００の構成＞
図３３及び図３８等に示すように、陳列棚３００は、背面用シート部３１０と底面用シート部３３０と２枚の側面用シート部３５０と２枚の補助用シート部３６０とを備える。２枚の側面用シート部３５０は、左側側面用シート部３５０Ｌと右側側面用シート部３５０Ｒとからなる。２枚の補助用シート部３６０は、左側補助用シート部３６０Ｌと右側補助用シート部３６０Ｒとからなる。
【０１４３】
図３８に示すように、背面用シート部３１０は、展開状態や陳列状態で背面を構成する部材である。底面用シート部３３０は、展開状態や陳列状態で底面を構成する部材である。側面用シート部３５０は、展開状態や陳列状態で左側の側面と右側の側面とを構成する部材である。補助用シート部３６０は、展開状態や陳列状態で左側の補助面と右側の補助面とを構成する部材である（図３３等参照）。補助用シート部３６０は、展開状態や陳列状態のときに、背面用シート部３１０と側面用シート部３５０とのなす角が略９０度になるように導きかつ維持するための部材である。
【０１４４】
＜背面用シート部３１０＞
図３６及び図３７に示すように、背面用シート部３１０は、平坦で略四角形の形状を有する。背面用シート部３１０は、背面用シート部上辺３１６Ｔと背面用シート部下辺３１６Ｂと背面用シート部左辺３１６Ｌと背面用シート部右辺３１６Ｒとを有する。背面用シート部上辺３１６Ｔ及び背面用シート部下辺３１６Ｂは同じ長さを有し平行である。背面用シート部左辺３１６Ｌ及び背面用シート部右辺３１６Ｒは同じ長さを有し平行である。背面用シート部左辺３１６Ｌ及び背面用シート部右辺３１６Ｒは、背面用シート部上辺３１６Ｔ及び背面用シート部下辺３１６Ｂに対して垂直である。
【０１４５】
＜底面用シート部３３０＞
図２９、図３１、図３２、図３３、図３７及び図３８等に示すように、底面用シート部３３０は、平坦で略四角形の形状を有する。底面用シート部３３０は、底面用シート部上辺３３６Ｔと底面用シート部下辺３３６Ｂと底面用シート部左辺３３６Ｌと底面用シート部右辺３３６Ｒとを有する。底面用シート部上辺３３６Ｔ及び底面用シート部下辺３３６Ｂは同じ長さを有し平行である。底面用シート部左辺３３６Ｌ及び底面用シート部右辺３３６Ｒは同じ長さを有し平行である。底面用シート部左辺３３６Ｌ及び底面用シート部右辺３３６Ｒは、底面用シート部上辺３３６Ｔ及び底面用シート部下辺３３６Ｂに対して垂直である。
【０１４６】
＜左側側面用シート部３５０Ｌ及び右側側面用シート部３５０Ｒ＞
図３２、図３３、図３５、図３６及び図３７等に示すように、左側側面用シート部３５０Ｌ及び右側側面用シート部３５０Ｒは、平坦で略四角形の形状を有する。左側側面用シート部３５０Ｌ及び右側側面用シート部３５０Ｒは、側面用シート部第１辺３５０Ａと側面用シート部第２辺３５０Ｂと側面用シート部第３辺３５０Ｃと側面用シート部第４辺３５０Ｄとからなる。側面用シート部第１辺３５０Ａと側面用シート部第２辺３５０Ｂとのなす角が略９０度である。側面用シート部第１辺３５０Ａと側面用シート部第３辺３５０Ｃとのなす角が略９０度である。側面用シート部第１辺３５０Ａと側面用シート部第４辺３５０Ｄとは平行である。側面用シート部第２辺３５０Ｂと側面用シート部第３辺３５０Ｃとは平行である。
【０１４７】
＜左側補助用シート部３６０Ｌ及び右側補助用シート部３６０Ｒ＞
図３３及び図３４に示すように、左側補助用シート部３６０Ｌ及び右側補助用シート部３６０Ｒは、展開されて広がったときに略四分円状の形状を有する。左側補助用シート部３６０Ｌ及び右側補助用シート部３６０Ｒの各々は、補助用シート部円弧３６０Ｈと、補助用シート部第１辺３６０Ａと、補助用シート部第２辺３６０Ｂとの３辺からなる。補助用シート部第１辺３６０Ａ及び補助用シート部第２辺３６０Ｂは直線である。補助用シート部円弧３６０Ｈは、円弧に近い曲線である。後述するように、左側補助用シート部３６０Ｌ及び右側補助用シート部３６０Ｒ自体が、折れ曲がって重なり合うことができる。また、展開状態では、補助用シート部第１辺３６０Ａと補助用シート部第２辺３６０Ｂとのなす角は略９０度になる。
【０１４８】
＜第１の折り目３８０＞
図３７、図３９、図４２に示すように、背面用シート部３１０と底面用シート部３３０との第１の折り目３８０を介して折り曲げ可能に連結されている。第１の折り目３８０は、背面用シート部３１０の背面用シート部下辺３１６Ｂと、底面用シート部３３０の底面用シート部下辺３３６Ｂと間の折り目を構成する。
【０１４９】
＜第２の折り目３８２Ｌ及び第２の折り目３８２Ｒ＞
図３５〜図４０及び図４２に示すように、背面用シート部３１０と左側側面用シート部３５０Ｌとは、左側の第２の折り目３８２Ｌを介して折り曲げ可能に連結されている。左側の第２の折り目３８２Ｌは、背面用シート部３１０の背面用シート部左辺３１６Ｌと、左側側面用シート部３５０Ｌの側面用シート部第１辺３５０Ａとの間の折り目を構成する。
【０１５０】
図３５〜図４０及び図４２に示すように、背面用シート部３１０と右側側面用シート部３５０Ｒとは、右側の第２の折り目３８２Ｒを介して折り曲げ可能に連結されている。右側の第２の折り目３８２Ｒは、背面用シート部３１０の背面用シート部右辺３１６Ｒと、右側側面用シート部３５０Ｒの側面用シート部第１辺３５０Ａとの間の折り目を構成する。
【０１５１】
＜第３の折り目３８４Ｌ及び第３の折り目３８４Ｒ＞
図３２、図３３及び図３４に示すように、左側補助用シート部３６０Ｌは、左側の第３の折り目３８４Ｌを有し、図３３及び図３４に示すように、右側補助用シート部３６０Ｒは、右側の第３の折り目３８４Ｒを有する。
【０１５２】
上述したように、左側補助用シート部３６０Ｌ及び右側補助用シート部３６０Ｒは、広がったときに略四分円状の形状となる。上述したように、補助用シート部第１辺３６０Ａ及び補助用シート部第２辺３６０Ｂは直線であり、補助用シート部第１辺３６０Ａと補助用シート部第２辺３６０Ｂとのなす角は略９０度である。この略９０度をなす角と向かい合う補助用シート部円弧３６０Ｈは、円弧に近い曲線である。
【０１５３】
第３の折り目３８４Ｌは、左側補助用シート部３６０Ｌの略９０度をなす角の頂点から、補助用シート部円弧３６０Ｈに向かう折り目である。補助用シート部第１辺３６０Ａと第３の折り目３８４Ｌとがなす角と、補助用シート部第２辺３６０Ｂと第３の折り目３８４Ｌとがなす角とは、４５度である。４５度の角度をなすように第３の折り目３８４Ｌを形成することで、左側補助用シート部３６０Ｌを折り畳んだときに、補助用シート部第１辺３６０Ａと補助用シート部第２辺３６０Ｂとが重なるようにできる。
【０１５４】
図３３及び図３４に示すように、左側補助用シート部３６０Ｌは、第３の折り目３８４Ｌを境にして画定される第１の左側補助用シート体３６０ＬＡと第２の左側補助用シート体３６０ＬＢとを有する。第３の折り目３８４Ｌで左側補助用シート部３６０Ｌを折り畳むと、第１の左側補助用シート体３６０ＬＡと第２の左側補助用シート体３６０ＬＢとの少なくとも一部が重なり合う。また、第３の折り目３８４Ｌで左側補助用シート部３６０Ｌを折り畳んだときには、補助用シート部第１辺３６０Ａと補助用シート部第２辺３６０Ｂとが重なるともに、補助用シート部第１辺３６０Ａを第１の折り目３８０に重ねることができる。
【０１５５】
第３の折り目３８４Ｒも、同様に、右側補助用シート部３６０Ｒの略９０度をなす角の頂点から、補助用シート部円弧３６０Ｈに向かう折り目である。補助用シート部第１辺３６０Ａと第３の折り目３８４Ｒとがなす角と、補助用シート部第２辺３６０Ｂと第３の折り目３８４Ｒとがなす角とは、４５度である。４５度の角度をなすように第３の折り目３８４Ｒを形成することで、右側補助用シート部３６０Ｒを折り畳んだときに、補助用シート部第１辺３６０Ａと補助用シート部第２辺３６０Ｂとが重なるようにできる。
【０１５６】
図３３及び図３４に示すように、右側補助用シート部３６０Ｒは、第３の折り目３８４Ｒを境にして画定される第１の右側補助用シート体３６０ＲＡと第２の右側補助用シート体３６０ＲＢとを有する。第３の折り目３８４Ｒで右側補助用シート部３６０Ｒを折り畳むと、第１の右側補助用シート体３６０ＲＡと第２の右側補助用シート体３６０ＲＢとの少なくとも一部が重なり合う。また、第３の折り目３８４Ｒで右側補助用シート部３６０Ｒを折り畳んだときには、補助用シート部第１辺３６０Ａと補助用シート部第２辺３６０Ｂとが重なるともに、補助用シート部第１辺３６０Ａを第１の折り目３８０に重ねることができる。
【０１５７】
左側補助用シート部３６０Ｌに第３の折り目３８４Ｌを形成したことにより、左側補助用シート部３６０Ｌ自体を折り畳むことができる。同様に、右側補助用シート部３６０Ｒに第３の折り目３８４Ｒを形成したことにより、右側補助用シート部３６０Ｒ自体を折り畳むことができる。このように、第３の折り目３８４Ｌ及び第３の折り目３８４Ｒによって、陳列棚３００を全体として小さく折り畳むことができる。
【０１５８】
上述したように、左側補助用シート部３６０Ｌ及び右側補助用シート部３６０Ｒは、補助用シート部円弧３６０Ｈと、補助用シート部第１辺３６０Ａと、補助用シート部第２辺３６０Ｂとの３辺からなる（図３４参照）。補助用シート部円弧３６０Ｈは、円弧に近い曲線である。補助用シート部円弧３６０Ｈは、左側補助用シート部３６０Ｌ及び右側補助用シート部３６０Ｒを折り畳んだときに突出しない範囲で膨出するように形成するのが好ましい。補助用シート部円弧３６０Ｈをなるべく膨出するように湾曲させることで、左側補助用シート部３６０Ｌ及び右側補助用シート部３６０Ｒを大きくでき、展開状態にしたときに、底面用シート部３３０との接触面積を大きくして展開状態を安定させることができる。
【０１５９】
＜第４の折り目３８６Ｌ＞
図３１〜図３３に示すように、左側側面用シート部３５０Ｌと左側補助用シート部３６０Ｌとは、左側の第４の折り目３８６Ｌを介して折り曲げ可能に連結されている。第４の折り目３８６Ｌは、左側側面用シート部３５０Ｌの側面用シート部第２辺３５０Ｂと左側補助用シート部３６０Ｌの補助用シート部第１辺３６０Ａとの間の折り目を構成する。
【０１６０】
＜第４の折り目３８６Ｒ＞
図３１〜図３３に示すように、右側側面用シート部３５０Ｒと右側補助用シート部３６０Ｒとは、右側の第４の折り目３８６Ｒを介して折り曲げ可能に連結されている。第４の折り目３８６Ｒは、右側側面用シート部３５０Ｒの側面用シート部第２辺３５０Ｂと右側補助用シート部３６０Ｒの補助用シート部第１辺３６０Ａとの間の折り目を構成する。
【０１６１】
＜接合部３７２Ｌ及び３７２Ｒ＞
図３２及び図３３に示すように、底面用シート部下辺３３６Ｂ及び補助用シート部第２辺３６０Ｂの近くで、底面用シート部３３０の左側底面シート３３２Ｌの一部の面と第２の左側補助用シート体３６０ＬＢの一部の面とを接合する接合部３７２Ｌを有する。底面用シート部３３０の右側底面シート３３２Ｒの一部の面と第２の右側補助用シート体３６０ＲＢの一部の面とを接合する接合部３７２Ｒを有する。なお、左側底面シート３３２Ｌ及び右側底面シート３３２Ｒについては後述する。
【０１６２】
接合部３７２Ｌ及び３７２Ｒは、例えば、両面テープなどにすることができる。接合部３７２Ｌは、両面テープに限られず向かい合う面を互いに接合できるものであればよい。
【０１６３】
接合部３７２Ｌ及び３７２Ｒを設けたことにより、左側補助用シート部３６０Ｌと右側補助用シート部３６０Ｒとの動きに応じて底面用シート部３３０を連動させることができる。連動の詳細は後述する。なお、上述した例では、接合部３７２Ｌ及び３７２Ｒの双方を設ける場合を示したが、これらのいずれか一方のみを設けるように構成してもよい。左側補助用シート部３６０Ｌと右側補助用シート部３６０Ｒとのうちのいずれか一方のみでも底面用シート部３３０を連動させることができる。
【０１６４】
＜背面用シート部３１０の係止の機構及び底面用シート部３３０の係止の機構＞
図４１は、背面用シート部３１０の係止の機構及び底面用シート部３３０の係止の機構を示す断面図である。なお、背面用シート部３１０の係止の機構と底面用シート部３３０の係止の機構とは同様であるので、図４１では、背面用シート部３１０の構成と底面用シート部３３０の構成との双方を示した。底面用シート部３３０の構成については括弧内に符号を示した。
【０１６５】
＜背面用シート部３１０の構成＞
図３５〜図４２に示すように、背面用シート部３１０は、左側背面シート３１２Ｌと中央背面シート３１２Ｃと右側背面シート３１２Ｒとの３つの別個のシートを含む。中央背面シート３１２Ｃは、略四角形の薄板状の形状を有する。左側背面シート３１２Ｌは、左側収納部３１４Ｌからなり、右側背面シート３１２Ｒは、右側収納部３１４Ｒからなる。左側収納部３１４Ｌ及び右側収納部３１４Ｒは戸袋状の形状で、その外観が略四角形の形状を有する。中央背面シート３１２Ｃは、引き戸状に左側収納部３１４Ｌ及び右側収納部３１４Ｒに収納される。
【０１６６】
図４１Ａに示すように、中央背面シート３１２Ｃの左側の端辺及び右側の端辺は、反転するように折り曲げられて折り返し部３１８Ｃが形成されている。また、左側収納部３１４Ｌ及び右側収納部３１４Ｒの開口部も反転するように折り曲げられて折り返し部３１８Ｌ及び３１８Ｒが形成されている。図４１Ｂに示すように、中央背面シート３１２Ｃが左側収納部３１４Ｌ及び右側収納部３１４Ｒから引き出されて伸長した状態にするときには、中央背面シート３１２Ｃの折り返し部３１８Ｃが、左側収納部３１４Ｌ及び右側収納部３１４Ｒの折り返し部３１８Ｌ及び３１８Ｒによって係止され、中央背面シート３１２Ｃの全体が左側収納部３１４Ｌ及び右側収納部３１４Ｒから抜け出ることを防止できる。
【０１６７】
＜底面用シート部３３０の構成＞
図３５〜図４２に示すように、底面用シート部３３０も、同様に、左側底面シート３３２Ｌと中央底面シート３３２Ｃと右側底面シート３３２Ｒとの３つの別個のシートを含む。中央底面シート３３２Ｃは、略四角形の薄板状の形状を有する。左側底面シート３３２Ｌは、左側収納部３３４Ｌからなり、右側底面シート３３２Ｒは、右側収納部３３４Ｒからなる。左側収納部３３４Ｌ及び右側収納部３３４Ｒは戸袋状の形状で、その外観が略四角形の形状を有する。中央底面シート３３２Ｃは、引き戸状に左側収納部３３４Ｌ及び右側収納部３３４Ｒに収納される。
【０１６８】
図４１Ａに示すように、中央底面シート３３２Ｃの左側の端辺及び右側の端辺は、反転するように折り曲げられて折り返し部３３８Ｃが形成されている。また、左側収納部３３４Ｌ及び右側収納部３３４Ｒの開口部も反転するように折り曲げられて折り返し部３３８Ｌ及び３３８Ｒが形成されている。図４１Ｂに示すように、中央底面シート３３２Ｃが左側収納部３３４Ｌ及び右側収納部３３４Ｒから引き出されて伸長した状態にするときには、中央底面シート３３２Ｃの折り返し部３３８Ｃが、左側収納部３３４Ｌ及び右側収納部３３４Ｒの折り返し部３３８Ｌ及び３３８Ｒによって係止され、中央底面シート３３２Ｃの全体が左側収納部３３４Ｌ及び右側収納部３３４Ｒから抜け出ることを防止できる。
【０１６９】
図３５、図３６、図３７、図３８、図３９、図４０及び図４２に示すように、底面用シート部３３０の底面用シート部上辺３３６Ｔには、長尺な係止体３９０が形成されている。図２９、図３１、図３２、図３３に示すように、係止体３９０は、接合部３７４Ｌ及び３７４Ｒによって底面用シート部上辺３３６Ｔに接合されている。係止体３９０は折り曲げ可能に形成されており、商品に関する情報を表示する表示板などを係止体３９０に設けることができる。
【０１７０】
＜陳列棚３００の収縮状態＞
中央背面シート３１２Ｃが左側背面シート３１２Ｌ及び右側背面シート３１２Ｒに収納され、かつ、中央底面シート３３２Ｃが左側底面シート３３２Ｌ及び右側底面シート３３２Ｒに収納された状態が、陳列棚３００が収縮した状態となる。
【０１７１】
＜陳列棚３００の伸長状態＞
また、中央背面シート３１２Ｃが左側背面シート３１２Ｌ及び右側背面シート３１２Ｒから引き出され、かつ、中央底面シート３３２Ｃが左側底面シート３３２Ｌ及び右側底面シート３３２Ｒから引き出された状態が、陳列棚３００が伸長した状態となる。
【０１７２】
＜左側部材３００Ｌ、中央部材３００Ｃ、右側部材３００Ｒ＞
図３３及び図３５に示すように、上述した左側背面シート３１２Ｌと左側底面シート３３２Ｌと左側側面用シート部３５０Ｌと左側補助用シート部３６０Ｌとによって左側部材３００Ｌが構成される。左側背面シート３１２Ｌと左側底面シート３３２Ｌと左側側面用シート部３５０Ｌと左側補助用シート部３６０Ｌとは、第１の折り目３８０と第２の折り目３８２Ｌと第３の折り目３８４Ｌ（図３４等参照）と第４の折り目３８６Ｌとで折り曲げ可能で一体に形成されている。左側部材３００Ｌは、独立して展開状態と折り畳み状態とに遷移することができる。
【０１７３】
また、右側背面シート３１２Ｒと右側底面シート３３２Ｒと右側側面用シート部３５０Ｒと右側補助用シート部３６０Ｒとによって右側部材３００Ｒが構成される。右側背面シート３１２Ｒと右側底面シート３３２Ｒと右側側面用シート部３５０Ｒと右側補助用シート部３６０Ｒとは、第１の折り目３８０と第２の折り目３８２Ｒと第３の折り目３８４Ｒ（図３４等参照）と第４の折り目３８６Ｒとで折り曲げ可能で一体に形成されている。右側部材３００Ｒは、独立して開状態と折り畳み状態とに遷移することができる。
【０１７４】
中央背面シート３１２Ｃと中央底面シート３３２Ｃとによって中央部材３００Ｃが構成される。中央背面シート３１２Ｃ及び中央底面シート３３２Ｃは、別体に構成されている。
【０１７５】
このように、陳列棚３００は、中央部材３００Ｃを挟んで左側部材３００Ｌ及び右側部材３００Ｒが伸縮可能に構成されている。
【０１７６】
＜陳列棚３００の組み立て＞
以下に、図２８〜図４２を参照して陳列棚１００を組み立てる手順を説明する。
【０１７７】
図２９及び図３０に示す状態は、陳列棚３００が折り畳まれた折り畳み状態である。図２９及び図３０は、背面用シート部３１０が、最も下に位置し、その上に底面用シート部３３０が重ねられ、さらに、その上に右側側面用シート部３５０Ｒが重なり、最も上に左側側面用シート部３５０Ｌが重なっている状態である。右側補助用シート部３６０Ｒは、右側の第３の折り目３８４Ｒ（図３３等参照）で折り曲げられ、底面用シート部３３０と右側側面用シート部３５０Ｒとの間に位置する。左側補助用シート部３６０Ｌは、左側の第３の折り目３８４Ｌ（図３３等参照）で折り曲げられ、底面用シート部３３０と左側側面用シート部３５０Ｌとの間に位置する。この折り畳み状態では、陳列棚３００は、略長方形状の薄い板状の形状となる。
【０１７８】
次に、図３１に示すように、折り畳み状態で最も上に位置している左側側面用シート部３５０Ｌを持ち上げて広げる。左側側面用シート部３５０Ｌは、折り畳み状態では、左側の第２の折り目３８２Ｌで折り曲げられて右側側面用シート部３５０Ｒに重なっている。左側側面用シート部３５０Ｌを広げることで、側面用シート部第４辺３５０Ｄが上に向かって移動する。
【０１７９】
続けて、図３２に示すように、右側側面用シート部３５０Ｒを持ち上げて広げる。右側側面用シート部３５０Ｒは、折り畳み状態では、右側の第２の折り目３８２Ｒで折り曲げられて底面用シート部３３０に重なっている。右側側面用シート部３５０Ｒを広げることで、側面用シート部第４辺３５０Ｄが上に向かって移動する。
【０１８０】
次に、図３３に示すように、左側側面用シート部３５０Ｌ及び右側側面用シート部３５０Ｒの双方を広げる。上述したように、接合部３７２Ｌが、底面用シート部３３０の一部の面と第２の左側補助用シート体３６０ＬＢの一部の面とを接合する。接合部３７２Ｒが、底面用シート部３３０の一部の面と第２の右側補助用シート体３６０ＲＢの一部の面とを接合する。
【０１８１】
左側側面用シート部３５０Ｌを開くと、左側補助用シート部３６０Ｌが広がりつつ、第２の左側補助用シート体３６０ＬＢが上方向に持ち上げられる。第２の左側補助用シート体３６０ＬＢが上方向に移動すると接合部３７２Ｌも上方向に移動し、接合部３７２Ｌに接合されている底面用シート部３３０の左側底面シート３３２Ｌも上方向に移動する。
【０１８２】
同様に、右側側面用シート部３５０Ｒを開くと、右側補助用シート部３６０Ｒが広がりつつ、第２の右側補助用シート体３６０ＲＢが上方向に持ち上げられる。第２の右側補助用シート体３６０ＲＢが上方向に移動すると接合部３７２Ｒも上方向に移動し、接合部３７２Ｒに接合されている底面用シート部３３０の右側底面シート３３２Ｒも上方向に移動する。
【０１８３】
このように、図３３に示すように、左側側面用シート部３５０Ｌ及び右側側面用シート部３５０Ｒを開くと、接合部３７２Ｌ及び接合部３７２Ｒを介して左側底面シート３３２Ｌ及び右側底面シート３３２Ｒを連動させることができ、底面用シート部３３０を移動させることができる。
【０１８４】
図２９〜図３３は、背面用シート部３１０が下（床面）に向くように、陳列棚３００を載置した状態を示す図である。図３５〜図４２は、陳列棚３００を略９０度回転させて、底面用シート部３３０が下（床面）に向くように置き直した状態を示す図である。図３５は、正面右上から見た斜視図であり、図３６は、背面左上から見た斜視図である。図３５及び図３６は、底面用シート部３３０が完全に下がっていない状態である。
【０１８５】
上述したように底面用シート部３３０は、左側側面用シート部３５０Ｌ及び右側側面用シート部３５０Ｒに連動する。図３７に示すように、左側側面用シート部３５０Ｌ及び右側側面用シート部３５０Ｒを開くことによって、底面用シート部３３０は、完全に下がった状態となる。
【０１８６】
図３７は、陳列棚３００の展開状態を示す斜視図である。図３７に示すように、底面用シート部３３０が底面に位置するとともに、背面用シート部３１０並びに左側側面用シート部３５０Ｌ及び右側側面用シート部３５０Ｒは、底面用シート部３３０に対して略９０度に配置される。さらに、左側側面用シート部３５０Ｌ及び右側側面用シート部３５０Ｒは、背面用シート部３１０に対して略９０度に配置される。
【０１８７】
陳列棚３００が展開状態や陳列状態になったときには、左側補助用シート部３６０Ｌ及び右側補助用シート部３６０Ｒの上側に底面用シート部３３０が位置する。上述したように、左側補助用シート部３６０Ｌ及び右側補助用シート部３６０Ｒは、背面用シート部３１０と側面用シート部３５０とのなす角が略９０度になるように導きかつ維持するための部材である。陳列棚３００が展開状態や陳列状態になったときに底面用シート部３３０が上側から左側補助用シート部３６０Ｌ及び右側補助用シート部３６０Ｒを押さえ込むようにしたことにより、第３の折り目３８４Ｌ及び３８４Ｒで折れ曲がりにくくして、左側補助用シート部３６０Ｌ及び右側補助用シート部３６０Ｒの展開状態を安定的に維持することができ、背面用シート部３１０と側面用シート部３５０との展開状態を安定的に保持することができる。
【０１８８】
さらに、背面用シート部３１０の左側背面シート３１２Ｌと底面用シート部３３０の左側底面シート３３２Ｌとを左側に移動させるとともに、背面用シート部３１０の右側背面シート３１２Ｒと底面用シート部３３０の右側底面シート３３２Ｒとを右側に移動させる。これにより、図３９及び図４０に示すように、左側背面シート３１２Ｌの左側収納部３１４Ｌから中央背面シート３１２Ｃの左部分が引き出され、左側底面シート３３２Ｌの左側収納部３３４Ｌから中央底面シート３３２Ｃの左部分が引き出され、右側背面シート３１２Ｒの右側収納部３１４Ｒから中央背面シート３１２Ｃの右部分が引き出され、右側底面シート３３２Ｒの右側収納部３３４Ｒから中央底面シート３３２Ｃの右部分が引き出される。これにより、陳列棚３００を伸長状態にすることができる。図３９は、正面右上から見た斜視図であり、図４０は、背面左上から見た斜視図である。
【０１８９】
さらに、図４２に示すように、係止体３９０を折り曲げる。係止体３９０を折り曲げることで、商品に関する情報を表示する表示板などを設けることができる。
【符号の説明】
【０１９０】
１００、２００、３００  陳列棚
１１０、２１０、３１０  背面用シート部
１３０、２３０、３３０  底面用シート部
１５０、２５０、３５０  側面用シート部
１６０、２６０、３６０  補助用シート部
１６０Ｌ  左側補助用シート部（補助部）
１６０Ｒ  右側補助用シート部（補助部）
２６０Ｌ  左側補助用シート部（補助部）
２６０Ｒ  右側補助用シート部（補助部）
３６０Ｌ  左側補助用シート部（補助部）
３６０Ｒ  右側補助用シート部（補助部）
１６０ＬＡ  第２の左側補助用シート体（第２の補助体）
２６０ＬＡ  第２の左側補助用シート体（第２の補助体）
３６０ＬＡ  第２の左側補助用シート体（第２の補助体）
１６０ＲＡ  第２の右側補助用シート体（第２の補助体）
２６０ＲＡ  第２の右側補助用シート体（第２の補助体）
３６０ＲＡ  第２の右側補助用シート体（第２の補助体）
１６０ＬＢ  第１の左側補助用シート体（第１の補助体）
２６０ＬＢ  第１の左側補助用シート体（第１の補助体）
３６０ＬＢ  第１の左側補助用シート体（第１の補助体）
１６０ＲＢ  第１の右側補助用シート体（第１の補助体）
２６０ＲＢ  第１の右側補助用シート体（第１の補助体）
３６０ＲＢ  第１の右側補助用シート体（第１の補助体）
１８０、２８０、３８０  第１の折り目
１８２Ｌ、１８２Ｒ、２８２Ｌ、２８２Ｒ、３８２Ｌ、３８２Ｒ  第２の折り目
１８４Ｌ、１８４Ｒ、２８４Ｌ、２８４Ｒ、３８４Ｌ、３８４Ｒ  第３の折り目
１８６Ｌ、１８６Ｒ、２８６Ｌ、２８６Ｒ、３８６Ｌ、３８６Ｒ  第４の折り目
２８８Ｌ、２８８Ｒ  第５の折り目
【図１】
0003202030.tif 000003
【図２】
0003202030.tif 000004
【図３】
0003202030.tif 000005
【図４】
0003202030.tif 000006
【図５】
0003202030.tif 000007
【図６】
0003202030.tif 000008
【図７】
0003202030.tif 000009
【図８】
0003202030.tif 000010
【図９】
0003202030.tif 000011
【図１０】
0003202030.tif 000012
【図１１】
0003202030.tif 000013
【図１２】
0003202030.tif 000014
【図１３】
0003202030.tif 000015
【図１４】
0003202030.tif 000016
【図１５】
0003202030.tif 000017
【図１６】
0003202030.tif 000018
【図１７】
0003202030.tif 000019
【図１８】
0003202030.tif 000020
【図１９】
0003202030.tif 000021
【図２０】
0003202030.tif 000022
【図２１】
0003202030.tif 000023
【図２２】
0003202030.tif 000024
【図２３】
0003202030.tif 000025
【図２４】
0003202030.tif 000026
【図２５】
0003202030.tif 000027
【図２６】
0003202030.tif 000028
【図２７】
0003202030.tif 000029
【図２８】
0003202030.tif 000030
【図２９】
0003202030.tif 000031
【図３０】
0003202030.tif 000032
【図３１】
0003202030.tif 000033
【図３２】
0003202030.tif 000034
【図３３】
0003202030.tif 000035
【図３４】
0003202030.tif 000036
【図３５】
0003202030.tif 000037
【図３６】
0003202030.tif 000038
【図３７】
0003202030.tif 000039
【図３８】
0003202030.tif 000040
【図３９】
0003202030.tif 000041
【図４０】
0003202030.tif 000042
【図４１】
0003202030.tif 000043
【図４２】
0003202030.tif 000044